(57)【特許請求の範囲】
【請求項１】
１時点での取得指示に対応して観察情報取得部を介して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得部と、
各時点での取得指示に対応して取得された夫々の前記観察情報に対して、前記タグ取得部により取得された前記検索用タグを付与し、該検索用タグを付与した検索用タグ付き観察情報を記録部に保存する保存部と、
前記細胞名及び前記第１の培養器材識別情報を含むタグを検索条件として取得する検索条件取得部と、
前記検索条件取得部により取得された前記検索条件を用いて前記記録部を検索し、同一の細胞株から培養され継代された、複数代に跨る細胞の検索用タグ付き観察情報を抽出する抽出部と、
を備えることを特徴とする細胞観察情報処理システム。
【請求項２】
前記抽出部は、
前記検索条件取得部により取得された前記検索条件を用いて前記記録部を検索し、該当する前記検索用タグ付き観察情報を抽出した後、さらに、
抽出した前記検索用タグ付き観察情報に備わる前記第２の培養器材識別情報を前記検索条件における前記第１の培養器材識別情報として置き換えた検索条件を用いて前記記録部を再検索し、該当する前記検索用タグ付き観察情報を抽出する処理を、所定の観察情報の抽出範囲に基づき繰り返す
ことを特徴とする請求項１に記載の細胞観察情報処理システム。
【請求項３】
前記所定の観察情報の抽出範囲が、前記第２の培養器材識別情報が記録されていない前記検索用タグ付き観察情報を抽出するまでとなるように構成されていることを特徴とする請求項２に記載の細胞観察情報処理システム。
【請求項４】
前記検索用タグは、さらに、観察情報取得時点の日時情報を含み、
前記所定の観察情報の抽出範囲が、ユーザの操作により指定された前記観察情報取得時点の日時情報の範囲となるように構成されていることを特徴とする請求項２に記載の細胞観察情報処理システム。
【請求項５】
前記検索用タグは、さらに、前記第１の培養器材で培養される細胞の継代数を含み、
前記所定の観察情報の抽出範囲が、ユーザの操作により指定された前記継代数の範囲となるように構成されていることを特徴とする請求項２に記載の細胞観察情報処理システム。
【請求項６】
前記第１の培養器材識別情報は、前記第１の培養器材で培養される細胞の継代数と、前記第１の培養器材に固有の識別情報を有してなることを特徴とする請求項１に記載の細胞観察情報処理システム。
【請求項７】
前記第２の培養器材識別情報は、前記第２の培養器材で培養される細胞の継代数と、前記第２の培養器材に固有の識別情報を有してなることを特徴とする請求項１に記載の細胞観察情報処理システム。
【請求項８】
前記検索用タグは、さらに、前記第１の培養器材で培養される細胞の継代数を含み、
前記タグ取得部は、
ユーザの操作により指定された前記細胞名を用いて前記記録部を検索し、該当する前記検索用タグ付き観察情報から、前記第１の培養器材で培養される細胞の継代数が最も大きい前記検索用タグ付き観察情報を抽出し、抽出した前記検索用タグ付き観察情報に備わる前記第１の培養器材識別情報を、前記検索用タグの一部として取得すべき前記第１の培養器材識別情報の候補として提示部に一覧出力し、
前記提示部に一覧出力した前記第１の培養器材識別情報の候補のうち、ユーザの操作により選択された前記第１の培養器材識別情報を、前記検索用タグの一部として取得するとともに、
当該ユーザの操作により選択された前記第１の培養器材識別情報を備えた前記検索用タグ付き観察情報に備わる前記第２の培養器材識別情報を、前記検索用タグの一部として自動的に取得することを特徴とする請求項１に記載の細胞観察情報処理システム。
【請求項９】
前記タグ取得部は、
ユーザの操作により指定された前記第１の培養器材識別情報を、前記検索用タグの一部として取得するとともに、
ユーザの操作により指定された前記細胞名及び前記第１の培養器材識別情報を用いて前記記録部を検索し、該当する前記検索用タグ付き観察情報が存在するとき、当該検索用タグ付き観察情報に備わる前記第２の培養器材識別情報を、前記検索用タグの一部として自動的に取得することを特徴とする請求項１に記載の細胞観察情報処理システム。
【請求項１０】
前記第１の培養器材識別情報は、前記第２の培養器材識別情報を含んでなり、
前記抽出部は、前記検索条件取得部により取得された前記検索条件を用いて前記記録部を検索し、該当する前記検索用タグ付き観察情報を抽出した後、さらに、前記検索条件における前記第１の培養器材識別情報に含まれる夫々の代における前記第２の培養器材識別情報を夫々前記検索条件における前記第１の培養器材識別情報として置き換えた検索条件を用いて前記記録部を順次検索し、該当する前記検索用タグ付き観察情報を抽出することを特徴とする請求項１に記載の細胞観察情報処理システム。
【請求項１１】
前記保存部は、前記タグ取得部により前記検索用タグとして取得された前記細胞名、前記第１の培養器材識別情報及び前記第２の培養器材識別情報を含む細胞識別情報を含むタグを、タグの取得履歴に関する情報として、さらに、前記記録部における前記検索用タグ付き観察情報を保存するためのファイルとは別のファイルに保存することを特徴とする請求項１に記載の細胞観察情報処理システム。
【請求項１２】
前記抽出部は、
前記検索条件取得部により取得された前記検索条件を用いて前記記録部を検索し、該当する前記タグの取得履歴に関する情報を抽出した後、さらに、
抽出した前記タグの取得履歴に関する情報に備わる前記第２の培養器材識別情報を当該検索条件における前記第１の培養器材識別情報として置き換えた検索条件を新たに作成し、作成した検索条件を用いて前記記録部を再検索し、該当する前記タグの取得履歴に関する情報を抽出する処理を、所定の取得履歴に関する情報の抽出範囲に基づき繰り返し、
次いで、前記所定の取得履歴に関する情報の抽出範囲に基づく前記タグの取得履歴に関する情報の抽出に用いた全ての検索条件を用いて前記記録部を順次検索し、該当する前記検索用タグ付き観察情報を抽出することを特徴とする請求項１１に記載の細胞観察情報処理システム。
【請求項１３】
前記所定の取得履歴に関する情報の抽出範囲が、前記第２の培養器材識別情報が記録されていない前記タグの取得履歴に関する情報を抽出するまでとなるように構成されていることを特徴とする請求項１２に記載の細胞観察情報処理システム。
【請求項１４】
前記検索用タグ及び前記タグの取得履歴に関する情報は、夫々、さらに、観察情報取得時点の日時情報を含み、
前記所定の取得履歴に関する情報の抽出範囲が、ユーザの操作により指定された前記観察情報取得時点の日時情報の範囲となるように構成されていることを特徴とする請求項１２に記載の細胞観察情報処理システム。
【請求項１５】
前記検索用タグ及び前記タグの取得履歴に関する情報は、夫々、さらに、前記第１の培養器材で培養される細胞の継代数を含み、
前記所定の取得履歴に関する情報の抽出範囲が、ユーザの操作により指定された前記継代数の範囲となるように構成されていることを特徴とする請求項１２に記載の細胞観察情報処理システム。
【請求項１６】
前記検索用タグは、さらに、前記第１の培養器材で培養される細胞の継代数を含み、
前記タグ取得部は、
ユーザの操作により指定された前記細胞名を用いて前記記録部を検索し、該当する前記タグの取得履歴に関する情報から、前記第１の培養器材で培養される細胞の継代数が最も大きい前記タグの取得履歴に関する情報を抽出し、抽出した前記タグの取得履歴に関する情報に備わる前記第１の培養器材識別情報を、前記検索用タグの一部として取得すべき前記第１の培養器材識別情報の候補として提示部に一覧出力し、
前記提示部に一覧出力した前記第１の培養器材識別情報の候補のうち、ユーザの操作により選択された前記第１の培養器材識別情報を、前記検索用タグの一部として取得するとともに、
当該ユーザの操作により選択された前記第１の培養器材識別情報を備えた前記タグの取得履歴に関する情報に備わる前記第２の培養器材識別情報を、前記検索用タグの一部として自動的に取得することを特徴とする請求項１１に記載の細胞観察情報処理システム。
【請求項１７】
前記タグ取得部は、
ユーザの操作により指定された前記第１の培養器材識別情報を、前記検索用タグの一部として取得するとともに、
ユーザの操作により指定された前記細胞名及び前記第１の培養器材識別情報を用いて前記記録部を検索し、該当する前記タグの取得履歴に関する情報が存在するとき、当該タグの取得履歴に関する情報に備わる前記第２の培養器材識別情報を、前記検索用タグの一部として自動的に取得することを特徴とする請求項１１に記載の細胞観察情報処理システム。
【請求項１８】
１時点での取得指示に対応して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得段階と、
各時点での取得指示に対応して取得された夫々の前記観察情報に対して、前記タグ取得段階において取得された前記検索用タグを付与し、該検索用タグを付与した検索用タグ付き観察情報を記録部に保存する保存段階と、
前記細胞名及び前記第１の培養器材識別情報を含むタグを検索条件として取得する検索条件取得段階と、
前記検索条件取得段階において取得した前記検索条件を用いて前記記録部を検索し、同一の細胞株から培養され継代された、複数代に跨る細胞の検索用タグ付き観察情報を抽出する抽出段階と、
を備えることを特徴とする細胞観察情報処理方法。
【請求項１９】
コンピュータを、
１時点での取得指示に対応して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得手段、
各時点での取得指示に対応して取得された夫々の前記観察情報に対して、前記タグ取得手段が取得した前記検索用タグを付与し、該検索用タグを付与した検索用タグ付き観察情報を記録部に保存する保存手段、
前記第１の細胞の細胞名及び前記第１の培養器材識別情報を含むタグを検索条件として取得する検索条件取得手段、
前記検索条件取得手段が取得した前記検索条件を用いて前記記録部を検索し、同一の細胞株から培養され継代された、複数代に跨る細胞の検索用タグ付き観察情報を抽出する抽出手段、
として機能させるための細胞観察情報処理プログラム。
【発明の詳細な説明】
【技術分野】
【０００１】
本発明は、生体研究に用いる細胞の状態管理を、顕微鏡等の観察情報取得装置により取得された細胞の観察情報（画像及び細胞活性度データ）を用いて行うための細胞観察情報処理システム、細胞観察情報処理方法、細胞観察情報処理プログラムに関する。
【背景技術】
【０００２】
細胞を用いて実験・研究を行う分野においては、ユーザは日々細胞の培養を続けており、顕微鏡等による細胞画像の観察を通じて、実験・研究に用いる細胞の状態管理を行なっている。
【０００３】
通常、実験・研究に用いる細胞は、生体から分離し、所定の培養容器内の培地に植え付けて培養し増殖させる。培養を行う細胞を親株という。親株の細胞が増殖して所定の細胞密度や細胞数に到達したとき、親株の培養容器内の細胞の一部を他の培養容器内の培地に植え付け替えて、培養し増殖させる。これを継代培養という。また、親株から分離して小分けした実験・研究用の細胞を子株という。
細胞を用いた実験・研究では、ユーザは、親株の培養容器内で細胞を増殖維持させながら、継代培養を繰り返し、継代培養された親株から分離して小分けした子株の細胞を実験・研究に用いる。
実験・研究の精度を高めるには、実験・研究毎に用いる夫々の細胞が良好な培養状態を保持していることが望まれる。
【０００４】
ところで、細胞培養には、細胞の維持を目的とした培養（以下、「維持培養」と呼ぶ。）と、細胞の数を増やすことを目的とした培養（以下、「拡大培養」と呼ぶ。）の２タイプがある。
【０００５】
維持培養は、さらに、例えば、図３１(a) に示すようなタイプの維持培養（以下、「タイプ１の維持培養」と呼ぶこととする。）と、例えば、図３１(b)に示すようなタイプの維持培養（以下、「タイプ２の維持培養」と呼ぶこととする。）の２タイプに分かれる。
タイプ１の維持培養では、継代作業時に、継代元の培養容器内で培養されている一部の細胞を、一つの培養容器の培地に植え付ける。そして、この作業を継代の都度繰り返しながら細胞を培養していく。
このため、タイプ１の維持培養では、図３１(a) に示すように、継代元の細胞と継代先の細胞とが一対一で繋がる。また、継代元の細胞と継代先の細胞とが複数代にわたって時系列で繋がる系統が一つ存在する。
【０００６】
タイプ２の維持培養は、一般的なタイプの維持培養である。タイプ２の維持培養では、継代培養された親株から実験・研究用の子株の細胞を分離する作業を行う際に起こりうるコンタミネーションによる親株の培養容器内の細胞の損失や、細胞の増殖速度のバラつきによる細胞数の変動を抑えるために、継代作業時に、継代元の培養容器内で培養されている一部の細胞を、予備サンプル用の培養容器を含む複数の培養容器の培地に植え付ける。そして、次回の継代作業時に、予備サンプル用の培養容器を含めた複数の培養容器の中から、最適な状態で細胞を培養している培養容器を継代元の培養容器として一つ選択し、選択した培養容器内で培養されている一部の細胞を、予備サンプル用の培養容器を含む複数の培養容器の培地に植え付ける。そして、これらの作業を継代の都度繰り返しながら細胞を培養していく。
このため、タイプ２の維持培養では、図３１(b) に示すように、継代元の細胞と継代先の細胞とが一対多で繋がる。また、継代元の細胞と継代先の細胞とが複数代にわたって時系列で繋がる系統が存在するが、継代作業時に継代元の培養容器として選択されない培養容器内の細胞は、後の代の細胞とは時系列で繋がらない。
【０００７】
拡大培養では、継代作業時に、継代元の培養容器内で培養されている一部の細胞を、複数の培養容器の培地に植え付け、夫々の培養容器で培養した細胞を次回の継代作業時の継代元の細胞とする。そして、この作業を継代の都度繰り返しながら細胞を培養していく。
このため、拡大培養では、図３１(c)に示すように、継代元の細胞と継代先の細胞とが、一対多で時系列的に繋がる。また、継代元の細胞と継代先の細胞とが複数代にわたって時系列で繋がる系統が複数存在する。
【０００８】
ところで、細胞を培養していく過程においては、細胞の状態に長期的な変化が生じうる。細胞の状態の長期的な変化を把握するためには、各時点での細胞の観察情報をデータベース化して検索できるようにすることが望まれる。そして、細胞培養の過程が記録された細胞の観察情報をデータベースファイルから所望の条件で絞り込んで時系列的に把握するためには、観察情報に検索用のタグを付与することが考えられる。
【０００９】
さらに、継代を繰り返していく過程で生じる細胞の状態の長期的な変化を、例えば、細胞数の変化をグラフ化する等、時系列的に正確に把握するには、夫々の観察情報取得時点で得られた、予備サンプル分を含む観察情報のうち、継代作業時に継代元に選ばれたサンプルに関する観察情報のみを時系列で繋ぐことが望まれる。
【００１０】
ところで、従来、自動培養装置における容器の搬入出時に、搬出前後の情報を関連付ける情報継続部を有するものが、例えば、次の特許文献１において提案されている。
【先行技術文献】
【特許文献】
【００１１】
【特許文献１】特開２００７−３３０１４５号公報
【発明の概要】
【発明が解決しようとする課題】
【００１２】
しかしながら、特許文献１に記載の技術は、搬出前後で関連付ける情報が、タイプ１の維持培養における継代元の細胞と継代先の細胞と同様、一対一となっており、タイプ２の維持培養や拡大培養における継代元の細胞と継代先の細胞のような一対多の情報の関連付けについての開示はない。
【００１３】
しかるに、タイプ１の維持培養のような単一系統の継代培養であれば、特許文献１に記載のような一対一の情報の関連付けを適用することにより、図３２(a)に二点差線で示すような、複数代に跨る観察情報を時系列で繋げることができ、ユーザは、複数代に跨る一系統の観察情報を把握することができる。
しかしながら、タイプ２の維持培養や拡大培養のような一対多の継代を行う継代培養の場合、特許文献１に記載のような一対一の情報の関連付けを適用しても、例えば、図３２(b)、図３２(c)に二点差線で示すような、複数代に跨る特定系統の細胞の観察情報を時系列で繋げることができず、ユーザは、複数代に跨る特定系統の細胞の観察情報を把握することができない。
【００１４】
即ち、タイプ２の維持培養や拡大培養のように、継代作業時に、継代元の培養容器内で培養されている一部の細胞を複数の培養容器に分けて培養する細胞培養の場合、細胞名が同一で、継代数が同一の細胞を培養する培養容器が複数存在することになる。このため、特許文献１に記載のような一対一の情報の関連付けでは、各代にわたり継代元となってきた培養容器で培養された細胞の観察情報のみを時系列で繋げた特定系統の細胞の観察情報を抽出することができない。
【００１５】
以下、上記問題点を詳細に説明する。
図３３は継代元と継代先とが一対多となっているタイプの継代培養の一例として図３１(b)に示したタイプ２の維持培養における各継代数における継代元と継代先の培養容器、観察情報を時系列で模式的に示す説明図である。なお、ここでは、便宜上、継代元と継代先とが一対多となっているタイプの継代培養としてタイプ２の維持培養を用いて説明することとする。
図３３の例では、継代数が“Ｐ０”の代においては、継代元の培養容器で培養されている一部の細胞を継代先の培養容器として２つの培養容器に分けて培養している。また、継代数が“Ｐ１”の代においては、２つの培養容器のうち上段に示す培養容器を継代元の培養容器として選択し、当該培養容器で培養されている一部の細胞を継代作業時に２つの培養容器に分けて培養しており、下段に示す培養容器は予備サンプル分の培養容器となっている。さらに、継代数が“Ｐ２”の代においては、２つの培養容器のうち下段に示す培養容器を継代元の培養容器として選択し、当該培養容器で培養されている一部の細胞を継代作業時に２つの培養容器に分けて培養しており、上段に示す培養容器は予備サンプル分の培養容器となっている。さらにまた、継代数が“Ｐ３”の代においては、２つの培養容器のうち上段に示す培養容器を継代元の培養容器として選択し、当該培養容器で培養されている一部の細胞を継代作業時に２つの培養容器に分けて培養し、下段に示す培養容器は予備サンプル分の培養容器となっている。なお、図３３では、継代元に選択された時点を○、選択されなかった時点を×で示すとともに、継代数“Ｐ０”，“Ｐ１”，“Ｐ２”，“Ｐ３”，“Ｐ４”の夫々の代において夫々の培養容器で培養されている細胞について夫々の時点の観察情報をアルファベットで示してある。
そして、図３３の例では、継代数“Ｐ０”〜 “Ｐ４”の代を通して、継代元の培養容器から継代されて培養されてきた細胞の観察情報は、観察情報Ａ，Ｃ，Ｆ，Ｈ，Ｉ，Ｋ，Ｍ，Ｎとなっており、継代元の細胞と継代先の細胞とが複数代に跨って時系列で繋がる系統としては、観察情報Ａ，Ｃ，Ｆ，Ｈ，Ｉ，Ｋ，Ｍが繋がった系統と、観察情報Ａ，Ｃ，Ｆ，Ｈ，Ｉ，Ｋ，Ｎが繋がった系統の２つの系統が存在する。
【００１６】
ここで、例えば、図３３中、二点鎖線の枠で囲んで示した観察情報Ａ，Ｃ，Ｆ，Ｈ，Ｉ，Ｋ，Ｍのみをデータベースファイルから抽出するために、特許文献１に記載のような一対一の情報の関連付けを用いた場合、次のような問題が生じる。
例えば、図３３の例において、継代数が“Ｐ０”の代の細胞から継代数が“Ｐ１”の代の細胞へと継代する際には、上述のように、継代数が“Ｐ０”の代の１つ培養容器で培養される細胞の一部を２つの培養容器に分けて培養するが、継代数が“Ｐ０”の代の細胞から継代数が“Ｐ１”の代の細胞へと継代した時点では、継代数が“Ｐ１”の代の２つの培養容器で培養されるいずれの細胞が次の継代元の細胞となるかは定まっていない。
このため、特許文献１に記載のような一対一の情報の関連付けでは、継代数が“Ｐ０”の代の細胞に対し、継代数が“Ｐ１”の代の２つの培養容器で培養される細胞のうちいずれの培養容器で培養される細胞が次の継代元の細胞となるか定まっていない時点で、いずれか一方の細胞のみと関連付けを行わざるを得ないため、次の継代元となる細胞と関連付けを行わずに次の継代元とならない細胞と関連付けをしてしまいやすい。
ここで、その後に観察情報Ｂ，Ｄが取得された次の継代元とならない細胞と関連付けを行った場合には、継代数がＰ２以降の代の細胞と時系列に繋がらない。このような問題は、各代における継代において起こりうる。
このように、特許文献１に記載のような一対一の情報の関連付けでは、継代元の細胞の情報と次の継代元となる培養容器で培養される細胞の情報を関連付けてデータベース化することが非常に困難であり、その結果、例えば、観察情報Ａ，Ｃ，Ｆ，Ｈ，Ｉ，Ｋ，Ｍのみを繋げた特定系統の細胞の観察情報をデータベースファイルから抽出することはできない。
【００１７】
本発明の幾つかの態様によれば、上記従来の課題を解決するために提案されたものであり、１対多で継代を行うタイプの継代培養であっても、継代されて培養されてきた細胞の観察情報を、代を跨いで関連付けを行うことが可能な、細胞観察情報処理システム、細胞観察情報処理方法、細胞観察情報処理プログラムを提供することを目的としている。
または、本発明の幾つかの態様によれば、１対多で継代を行うタイプの継代培養であっても、継代されて培養されてきた特定系統の細胞の観察情報を、代を跨いで把握することが可能な、細胞観察情報処理システム、細胞観察情報処理方法、細胞観察情報処理プログラムを提供することを目的としている。
【課題を解決するための手段】
【００１８】
上記目的を達成するため、本発明の一態様による細胞観察情報処理システムは、１時点での取得指示に対応して観察情報取得部を介して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得部と、  各時点での取得指示に対応して取得された夫々の前記観察情報に対して、前記タグ取得部により取得された前記検索用タグを付与し、該検索用タグを付与した検索用タグ付き観察情報を記録部に保存する保存部と、前記細胞名及び前記第１の培養器材識別情報を含むタグを検索条件として取得する検索条件取得部と、前記検索条件取得部により取得された前記検索条件を用いて前記記録部を検索し、同一の細胞株から培養され継代された、複数代に跨る細胞の検索用タグ付き観察情報を抽出する抽出部と、を備える。
【００１９】
また、本発明の他の態様による細胞観察情報処理方法は、１時点での取得指示に対応して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得段階と、各時点での取得指示に対応して取得された夫々の前記観察情報に対して、前記タグ取得段階において取得された前記検索用タグを付与し、該検索用タグを付与した検索用タグ付き観察情報を記録部に保存する保存段階と、前記細胞名及び前記第１の培養器材識別情報を含むタグを検索条件として取得する検索条件取得段階と、前記検索条件取得段階において取得した前記検索条件を用いて前記記録部を検索し、同一の細胞株から培養され継代された、複数代に跨る細胞の検索用タグ付き観察情報を抽出する抽出段階と、を備える。
【００２０】
また、本発明のさらに他の態様による細胞観察情報処理プログラムは、コンピュータを、１時点での取得指示に対応して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得手段、各時点での取得指示に対応して取得された夫々の前記観察情報に対して、前記タグ取得手段が取得した前記検索用タグを付与し、該検索用タグを付与した検索用タグ付き観察情報を記録部に保存する保存手段、前記第１の細胞の細胞名及び前記第１の培養器材識別情報を含むタグを検索条件として取得する検索条件取得手段、前記検索条件取得手段が取得した前記検索条件を用いて前記記録部を検索し、同一の細胞株から培養され継代された、複数代に跨る細胞の検索用タグ付き観察情報を抽出する抽出手段、として機能させる。
【図面の簡単な説明】
【００２１】
【図１】本発明の細胞観察情報処理システムの基本構成を概念的に示すブロック図である。
【図２】本発明の第１実施形態にかかる細胞観察情報処理システムの構成を示す説明図である。
【図３】図２の細胞観察情報処理装置に備わる提示部で表示される画面の一構成例を示す説明図である。
【図４】図２の細胞観察情報処理システムにおいてタグ取得部が取得する検索用タグをユーザが指定・入力するための検索用タグ指定・入力画面における要部項目の一例を概念的に示す説明図である。
【図５】図２の細胞観察情報処理システムにおいて保存部が記録部に保存する検索用タグ付き観察情報のデータ構造の一例を示す説明図である。
【図６】図２の細胞観察情報処理システムにおいて検索条件取得部が取得する検索条件をユーザが指定・入力するための検索条件指定・入力画面の一構成例を示す説明図である。
【図７】図２の細胞観察情報処理システムを用いた、細胞の観察情報を保存する段階での処理手順の一例を概略的に示すブロック図である。
【図８】図２の細胞観察情報処理システムを用いた、細胞の観察情報を保存する段階での処理手順の一例を概略的に示すフローチャートである。
【図９】図８における検索用タグの取得処理での要部のタグの取得手順の一例を概略的に示すフローチャートである。
【図１０】図９における要部のタグの取得手順を具体化した処理手順の一例を示すフローチャートである。
【図１１】図１０の処理手順の変形例を示すフローチャートである。
【図１２】図２の細胞観察情報処理システムを用いた、記録部から所望の細胞の観察情報を検索・抽出する段階での処理手順の一例を概略的に示すブロック図である。
【図１３】図２の細胞観察情報処理システムを用いた、記録部から所望の細胞の観察情報を検索・抽出する段階での処理手順の一例を概略的に示すフローチャートである。
【図１４】図２の細胞観察情報処理システムを用いて抽出された観察情報を含むデータを表示画面に表示する表示態様の一例を示すグラフである。
【図１５】図１３における同一の細胞株から培養され継代された、複数代に跨る細胞の検索用タグ付き観察情報の抽出処理の処理手順の一例を示すフローチャートである。
【図１６】図１５における所定の観察情報の抽出範囲を具体化した処理手順の一例を示すフローチャートである。
【図１７】図１５における所定の観察情報の抽出範囲を具体化した処理手順の他の例を示すフローチャートである。
【図１８】図１５における所定の観察情報の抽出範囲を具体化した処理手順のさらに他の例を示すフローチャートである。
【図１９】複数代に跨る細胞の検索用タグ付き観察情報を抽出したときのデータ及びデータの関連付けの一例を示す説明図で、(a)は記録部のデータ構造及び抽出されたデータを示す図、(b)は(a)の記録部に保存されている継代元と継代先の培養容器、観察情報を時系列で模式的に示すとともに、抽出された複数代に跨る検索用タグ付き観察情報を時系列で関連付けた説明図である。
【図２０】本発明の第２実施形態にかかる細胞観察情報処理システムの構成を示す説明図である。
【図２１】図２０の細胞観察情報処理システムにおいて記録部に保存されるタグの取得履歴に関する情報のデータ構造の一例を示す説明図である。
【図２２】図２０の細胞観察情報処理システムを用いた、細胞の観察情報を保存する段階での処理手順での検索用タグの取得処理における要部のタグの取得手順を具体化した処理手順の一例を示すフローチャートである。
【図２３】図２２の処理手順の変形例を示すフローチャートである。
【図２４】図２０の細胞観察情報処理システムを用いた、記録部から所望の細胞の観察情報を検索・抽出する段階での、同一の細胞株から培養され継代された、複数代に跨る細胞の検索用タグ付き観察情報の抽出処理の処理手順の一例を示すフローチャートである。
【図２５】図２４における所定の観察情報の抽出範囲を具体化した処理手順の一例を示すフローチャートである。
【図２６】図２４における所定の観察情報の抽出範囲を具体化した処理手順の他の例を示すフローチャートである。
【図２７】図２４における所定の観察情報の抽出範囲を具体化した処理手順のさらに他の例を示すフローチャートである。
【図２８】本発明の第３実施形態にかかる細胞観察情報処理システムにおいて記録部に保存される第１の培養器材識別情報、第２の培養器材識別情報のデータ構造の一例を示す説明図で、(a)は検索用タグ付き観察情報における第１の培養器材識別情報、第２の培養器材識別情報のデータ構造の一例を示す図、(b)はタグの取得履歴に関する情報における第１の培養器材識別情報、第２の培養器材識別情報のデータ構造の一例を示す図である。
【図２９】図２８の細胞観察情報処理システムを用いた、記録部から所望の細胞の観察情報を検索・抽出する段階での、同一の細胞株から培養され継代された、複数代に跨る細胞の検索用タグ付き観察情報の抽出処理の処理手順の一例を示すフローチャートである。
【図３０】記録部に保存されたタグ付き観察情報を用いて、ユーザＩＤ、細胞名、継代数、第１の培養器材識別情報、第２の培養器材識別情報が同一の観察情報の群を一つの容器単位とする、細胞を培養する容器の系統図の一例を模式的に示す説明図である。
【図３１】細胞培養のタイプを概念的に示す説明図で、(a)は維持培養の一タイプを示す図、(b)は維持培養の他のタイプを示す図、(c)は拡大培養を示す図である。
【図３２】図３１に示す夫々のタイプの細胞培養に対応した、複数代に跨る観察情報を時系列で繋げた系統の例を夫々示す説明図である。
【図３３】継代元と継代先とが一対多となっているタイプの継代培養の一例として図３１(b)に示すタイプの維持培養における各継代数における継代元と継代先の培養容器、観察情報を時系列で模式的に示す説明図である。
【発明を実施するための形態】
【００２２】
以下、本発明の実施形態について、説明する。なお、以下に説明する実施の形態は特許請求の範囲に記載された本発明の内容を不当に限定するものではない。また、以下の実施形態で説明する構成の全てが、本発明における必須の構成要件であるとは限らない。
【００２３】
（１）基本的構成及び作用効果
本発明の実施形態の細胞観察情報処理システムは、１時点での取得指示に対応して観察情報取得部を介して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び前記第１の培養器材で培養される細胞に対する継代元の細胞を培養する培養器材である第２の培養器材を特定するための第２の培養器材識別情報を含む細胞識別情報を含むタグを取得するタグ取得部と、各時点での取得指示に対応して取得された夫々の前記観察情報に対して、前記タグ取得部により取得された前記検索用タグを付与し、該検索用タグを付与した検索用タグ付き観察情報を記録部に保存する保存部と、前記細胞名及び前記第１の培養器材識別情報を含むタグを検索条件として取得する検索条件取得部と、前記検索条件取得部により取得された前記検索条件を用いて前記記録部を検索し、同一の細胞株から培養され継代された、複数代に跨る細胞の検索用タグ付き観察情報を抽出する抽出部と、を備える。
【００２４】
培養器材は、細胞を培養することができる器材であれば、どのような器材でもよい。培養器材としては、例えば、フラスコ、ディッシュ、ウェルプレート等の培養容器や、スライドガラス等が挙げられる。
細胞の活性度を示す活性度データとしては、細胞数・細胞密度・形状・生存率等が挙げられる。
観察情報は、細胞の観察結果を示す情報である。観察情報としては、細胞画像、活性度データの他に、例えば、観察名等が挙げられる。
細胞識別情報は、観察対象となっている細胞を識別するための識別情報である。より詳しくは、細胞名、第１の培養器材識別情報、第２の培養器材識別情報の他に、例えば、細胞の継代数、細胞種、培養を行う細胞であることを示す親株又はその親株から小分けした細胞であることを示す子株を識別するための細胞レベル情報等が挙げられる。
細胞名は、ユーザが実験・研究に用いる細胞に対して付ける任意の名称であり、細胞種は、分類される細胞固有の種類である。
【００２５】
本発明の実施形態の細胞観察情報処理システムのように、タグ取得部が細胞名、第１の培養器材識別情報と第２の培養器材識別情報を含むタグを検索用タグとして取得し、保存部が検索用タグを付与した検索用タグ付き観察情報を記録部に保存するようにすれば、記録部に保存されている検索用タグ付き観察情報の検索用タグに備わる第１の培養器材識別情報によって、同一細胞名、同一継代数での複数の培養器材を区別できるとともに、第２の培養器材識別情報によって、継代先の細胞の観察情報と継代元の細胞の観察情報との関連付けを、代を跨いで複数代にわたって行うことが可能になる。そして、検索条件取得部が細胞名及び第１の培養器材識別情報を含むタグを検索条件として取得し、抽出部が、検索条件取得部により取得された検索条件を用いて記録部を検索し、同一の細胞株から培養され継代された、複数代に跨る細胞の検索用タグ付き観察情報を抽出すれば、１対多で継代を行うタイプの継代培養であっても、ユーザは、特定系統の細胞の観察情報を、代を跨いで把握することができる。
【００２６】
そして、本発明の実施形態では、抽出部や検索用タグ取得部、その他の具体的な構成に応じて、次のような効果を奏する。
【００２７】
（１−１）抽出部が、抽出した検索用タグ付き観察情報に備わる第２の培養器材識別情報を検索条件における第１の培養器材識別情報として置き換えた検索条件を用いて記録部を再検索し、該当する検索用タグ付き観察情報を抽出する処理を繰り返す構成による作用効果
本発明の実施形態の細胞観察情報処理システムにおいては、好ましくは、抽出部は、検索条件取得部により取得された検索条件を用いて記録部を検索し、該当する検索用タグ付き観察情報を抽出した後、さらに、抽出した検索用タグ付き観察情報に備わる第２の培養器材識別情報を検索条件における第１の培養器材識別情報として置き換えた検索条件を用いて記録部を再検索し、該当する検索用タグ付き観察情報を抽出する処理を、所定の観察情報の抽出範囲に基づき繰り返すように構成されている。
このようにすれば、抽出部による、同一の細胞株から培養され継代された、複数代に跨る細胞の検索用タグ付き観察情報の抽出が具現化できる。
【００２８】
（１−１−１）所定の観察情報の抽出範囲が、第２の培養器材識別情報が記録されていない検索用タグ付き観察情報を抽出するまでとなる構成による作用効果
また、本発明の実施形態の細胞観察情報処理システムにおいては、好ましくは、所定の観察情報の抽出範囲が、第２の培養器材識別情報が記録されていない検索用タグ付き観察情報を抽出するまでとなるように構成されている。
このようにすれば、データベース内で辿ることのできる最も古い継代元の代のデータまで、複数代に跨る細胞の検索用タグ付き観察情報の抽出が具現化できる。
【００２９】
（１−１−２）所定の観察情報の抽出範囲が、ユーザの操作により指定される構成である構成による作用効果
また、本発明の実施形態の細胞観察情報処理システムにおいては、好ましくは、検索用タグは、さらに、観察情報取得時点の日時情報を含み、所定の観察情報の抽出範囲が、ユーザの操作により指定された観察情報取得時点の日時情報の範囲となるように構成されている。
または、本発明の実施形態の細胞観察情報処理システムにおいては、好ましくは、検索用タグは、さらに、第１の培養器材で培養される細胞の継代数を含み、所定の観察情報の抽出範囲が、ユーザの操作により指定された継代数の範囲となるように構成されている。
これらのようにすれば、ユーザが必要とする範囲における、複数代に跨る細胞の検索用タグ付き観察情報の抽出が具現化できる。
【００３０】
（１−２）第１の培養器材識別情報が、第１の培養器材で培養される細胞の継代数と、第１の培養器材に固有の識別情報を有してなる構成による作用効果
また、本発明の実施形態の細胞観察情報処理システムにおいては、好ましくは、第１の培養器材識別情報は、第１の培養器材で培養される細胞の継代数と、第１の培養器材に固有の識別情報を有してなる。
このようにすれば、後述するような、第２の培養器材識別情報を第２の培養器材で培養される細胞の継代数と、第２の培養器材に固有の識別情報を有してなる構成とすることで、抽出部が一代前の検索用タグ付き観察情報を抽出するために、現在の継代数から１を減算した継代数を、抽出部が記録部を検索する際の検索条件の一部として別途設定することなく、抽出した当該データに備わる第２の培養器材識別情報の値を検索条件における第１の培養器材識別情報として置き換えるだけで、継代数が一代前の細胞の検索用タグ付き観察情報を抽出することができる。
【００３１】
（１−３）第２の培養器材識別情報が、第２の培養器材で培養される細胞の継代数と、第２の培養器材に固有の識別情報を有してなる構成による作用効果
また、本発明の実施形態の細胞観察情報処理システムにおいては、好ましくは、第２の培養器材識別情報は、第２の培養器材で培養される細胞の継代数と、第２の培養器材に固有の識別情報を有してなる。
このようにすれば、抽出部が一代前の検索用タグ付き観察情報を抽出するために、現在の継代数から１を減算した継代数を、記録部を検索する際の検索条件の一部として別途設定することなく、抽出した当該データに備わる第２の培養器材識別情報に含まれる継代数の値を、検索条件の一部として設定できる。そして、抽出した当該データに備わる第２の培養器材識別情報に含まれる第２の培養器材に固有の識別情報の値を検索条件における第１の培養器材識別情報として置き換えた検索条件を用いることにより、継代数が一代前の細胞の検索用タグ付き観察情報を抽出することができる。
さらに、上述のように、第１の培養器材識別情報を第１の培養器材で培養される細胞の継代数と、第１の培養器材に固有の識別情報を有してなる構成とすることで、抽出した当該データに備わる第２の培養器材識別情報の値を検索条件における第１の培養器材識別情報として置き換えるだけで、継代数が一代前の細胞の検索用タグ付き観察情報を抽出することができる。
【００３２】
（１−４）タグ取得部が第１の培養器材識別情報、第２の培養器材識別情報を取得するための構成及び作用効果
（１−４−１）タグ取得部が、ユーザにより指定された細胞名を用いて記録部を検索し、該当する検索用タグ付き観察情報のうち、第１の培養器材で培養される細胞の継代数が最も大きい検索用タグ付き観察情報に備わる第１の培養器材識別情報を、第１の培養器材識別情報の候補として提示部に一覧出力し、ユーザにより選択された第１の培養器材識別情報を検索用タグの一部として取得するとともに、第１の培養器材識別情報を備えた検索用タグ付き観察情報に備わる第２の培養器材識別情報を検索用タグの一部として自動的に取得する構成による作用効果
また、本発明の実施形態の細胞観察情報処理システムにおいては、好ましくは、検索用タグは、さらに、第１の培養器材で培養される細胞の継代数を含む。そして、タグ取得部は、ユーザの操作により指定された細胞名を用いて記録部を検索し、該当する検索用タグ付き観察情報から、第１の培養器材で培養される細胞の継代数が最も大きい検索用タグ付き観察情報を抽出し、抽出した検索用タグ付き観察情報に備わる第１の培養器材識別情報を、検索用タグの一部として取得すべき第１の培養器材識別情報の候補として提示部に一覧出力する。そして、提示部に一覧出力した第１の培養器材識別情報の候補のうち、ユーザの操作により選択された第１の培養器材識別情報を、検索用タグの一部として取得するとともに、当該ユーザの操作により選択された第１の培養器材識別情報を備えた検索用タグ付き観察情報に備わる第２の培養器材識別情報を、検索用タグの一部として自動的に取得するように構成されている。
このようにすれば、ユーザが第１の培養器材識別情報、第２の培養器材識別情報をキー入力する手間が省けるとともに、キーの打ち間違いを無くすことができる。その結果、検索用タグ取得の効率が向上し、細胞の状態チェックの時間を短縮化できる。
特に、細胞をインキュベータの外部に持ち出した状態で細胞の状態変化をチェックする場合、細胞の状態チェックの時間が短縮されることによって、細胞に与えるダメージを低減できる。
【００３３】
（１−４−２）タグ取得部が、ユーザにより指定された第１の培養器材識別情報を、検索用タグの一部として取得するとともに、ユーザにより指定された細胞名及び第１の培養器材識別情報を用いて記録部を検索し、該当する検索用タグ付き観察情報に備わる第２の培養器材識別情報を、検索用タグの一部として自動的に取得する構成による作用効果
また、本発明の実施形態の細胞観察情報処理システムにおいては、好ましくは、タグ取得部は、ユーザの操作により指定された第１の培養器材識別情報を、検索用タグの一部として取得するとともに、ユーザの操作により指定された細胞名及び第１の培養器材識別情報を用いて記録部を検索し、該当する検索用タグ付き観察情報が存在するとき、当該検索用タグ付き観察情報に備わる第２の培養器材識別情報を、検索用タグの一部として自動的に取得するように構成されている。
このようにすれば、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。
【００３４】
（１−４−３）タグ取得部が、ユーザにより第１の培養器材識別情報として新規の培養器材識別情報が指定されたとき、ユーザにより指定された第１の培養器材識別情報を、検索用タグの一部として取得するとともに、ユーザにより指定された細胞名を用いて記録部を検索し、該当する検索用タグ付き観察情報のうち、継代有無情報が継代作業であることを表す、観察情報取得時点が直近の検索用タグ付き観察情報に備わる第１の培養器材識別情報を、第２の培養器材識別情報の候補として提示部に一覧出力し、ユーザにより選択された第２の培養器材識別情報を、検索用タグの一部として取得する構成による作用効果
また、本発明の実施形態の細胞観察情報処理システムにおいては、好ましくは、検索用タグは、さらに、第１の細胞に対する作業が継代作業であるか否かを表す継代有無情報及び観察情報取得時点の日時情報を含む。そして、タグ取得部は、ユーザの操作により検索用タグの一部として取得すべき第１の培養器材識別情報として新規の培養器材識別情報が指定されたとき、ユーザの操作により指定された第１の培養器材識別情報を、検索用タグの一部として取得するとともに、ユーザの操作により指定された細胞名を用いて記録部を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出し、抽出した検索用タグ付き観察情報に備わる第１の培養器材識別情報を、検索用タグの一部として取得すべき第２の培養器材識別情報の候補として提示部に一覧出力する。そして、提示部に一覧出力した第２の培養器材識別情報の候補のうち、ユーザの操作により選択された第２の培養器材識別情報を、検索用タグの一部として取得するように構成されている。
このようにしても、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。
【００３５】
（１−４−４）タグ取得部が、ユーザにより指定された第１の培養器材識別情報を、検索用タグの一部として取得するとともに、ユーザにより指定された細胞名及び第１の培養器材識別情報を用いて記録部を検索し、該当する検索用タグ付き観察情報が存在しないとき、さらに、ユーザにより指定された細胞名を用いて記録部を検索し、該当する検索用タグ付き観察情報のうち、継代有無情報が継代作業であることを表す、観察情報取得時点が直近の検索用タグ付き観察情報に備わる第１の培養器材識別情報を、第２の培養器材識別情報の候補として提示部に一覧出力し、ユーザにより選択された第２の培養器材識別情報を、検索用タグの一部として取得する構成による作用効果
また、本発明の実施形態の細胞観察情報処理システムにおいては、好ましくは、検索用タグは、さらに、第１の培養器材で培養される細胞に対する作業が継代作業であるか否かを表す継代有無情報及び観察情報取得時点の日時情報を含む。そして、タグ取得部は、ユーザの操作により指定された第１の培養器材識別情報を、検索用タグの一部として取得するとともに、ユーザの操作により指定された細胞名及び第１の培養器材識別情報を用いて記録部を検索し、該当する検索用タグ付き観察情報が存在しないとき、さらに、ユーザの操作により指定された細胞名を用いて記録部を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出し、抽出した検索用タグ付き観察情報に備わる第１の培養器材識別情報を、検索用タグの一部として取得すべき第２の培養器材識別情報の候補として提示部に一覧出力し、提示部に一覧出力した第２の培養器材識別情報の候補のうち、ユーザの操作により選択された第２の培養器材識別情報を、検索用タグの一部として取得するように構成されている。
このようにしても、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。
【００３６】
（１−５）第１の培養器材識別情報と第２の培養器材識別情報を一体化した構成による作用効果
また、本発明の実施形態の細胞観察情報処理システムにおいては、好ましくは、第１の培養器材識別情報は、第２の培養器材識別情報を含んでなり、抽出部は、検索条件取得部により取得された検索条件を用いて記録部を検索し、該当する検索用タグ付き観察情報を抽出した後、さらに、検索条件における第１の培養器材識別情報に含まれる夫々の代における第２の培養器材識別情報を夫々検索条件における第１の培養器材識別情報として置き換えた検索条件を用いて記録部を順次検索し、該当する検索用タグ付き観察情報を抽出するように構成されている。
【００３７】
本発明の実施形態の細胞観察情報処理システムのように、第１の培養器材識別情報と第２の培養器材識別情報を一体化して構成すれば、第１の培養器材識別情報のデータから、当該継代数の代から時系列的に遡って繋がった全ての代の細胞における第１の培養器材識別情報、第２の培養器材識別情報を特定することが可能となる。このため、抽出部は、検索条件を用いて記録部を検索し、該当する検索用タグ付き観察情報を抽出する処理を行う都度、抽出した検索用タグ付き観察情報に備わる第２の培養器材識別情報を取得するような処理を行うことなく、検索条件取得部によって取得されたときの検索条件に備わる第１の培養器材識別情報のデータ内で特定されている各代における第２の培養器材識別情報を、検索条件における第１の培養器材識別情報に置き換えた検索条件を用いて、記録部を連続的に検索し、該当する検索用タグ付き観察情報を抽出することができる。また、抽出部が記録部から代を遡って検索用タグ付き観察情報を抽出するための検索条件としては、継代数の情報が不要となる。その結果、同一の細胞株から培養され継代された、複数代に跨る細胞の観察情報の抽出処理の効率が格段に向上する。
【００３８】
（２）保存部が、第１の培養器材識別情報及び第２の培養器材識別情報をタグの取得履歴に関する情報として、検索用タグ付き観察情報を保存するためのファイルとは別のファイルに保存する構成及び作用効果
また、本発明の実施形態の細胞観察情報処理システムにおいては、好ましくは、保存部は、タグ取得部により検索用タグとして取得された細胞名、第１の培養器材識別情報及び第２の培養器材識別情報を含む細胞識別情報を含むタグを、タグの取得履歴に関する情報として、さらに、記録部における検索用タグ付き観察情報を保存するためのファイルとは別のファイルに保存するように構成されている。
【００３９】
検索用タグ付き観察情報には、細胞画像といったバイト数の大きなデータを含む。このため、タグ取得部による検索用タグ取得処理や抽出部による検索用タグ付き観察情報抽出処理等の処理過程において行われる、検索用タグ付き観察情報を対象とした検索・抽出処理の処理効率は、バイト数の大きなデータを含む分、低下する。
本発明の実施形態の細胞観察情報処理システムのように、保存部がタグ取得部により検索用タグとして取得された細胞名、第１の培養器材識別情報及び第２の培養器材識別情報を含む細胞識別情報を含むタグを、タグの取得履歴に関する情報として、検索用タグ付き観察情報を保存するためのファイルとは別のファイルに保存するようにすれば、タグ取得部による検索用タグ取得処理や抽出部による検索用タグ付き観察情報抽出処理等の処理過程において、検索・抽出対象を、細胞画像といったバイト数の大きなデータを含まないタグの取得履歴に関する情報を保存したファイルとすることで、検索・抽出処理の効率を向上させることが可能となる。
【００４０】
（２−１）抽出部が、抽出したタグの取得履歴に関する情報に備わる第２の培養器材識別情報を当該検索条件における第１の培養器材識別情報として置き換えた検索条件を新たに作成し、作成した検索条件を用いて記録部を再検索し、該当するタグの取得履歴に関する情報を抽出する処理を所定の取得履歴に関する情報の抽出範囲に基づき繰り返した後に、所定の取得履歴に関する情報の抽出範囲に基づくタグの取得履歴に関する情報の抽出に用いた全ての検索条件を用いて記録部を順次検索し、該当する検索用タグ付き観察情報を抽出する構成による作用効果
また、本発明の実施形態の細胞観察情報処理システムにおいては、好ましくは、抽出部は、検索条件取得部により取得された検索条件を用いて記録部を検索し、該当するタグの取得履歴に関する情報を抽出した後、さらに、抽出したタグの取得履歴に関する情報に備わる第２の培養器材識別情報を当該検索条件における第１の培養器材識別情報として置き換えた検索条件を新たに作成し、作成した検索条件を用いて記録部を再検索し、該当するタグの取得履歴に関する情報を抽出する処理を、所定の取得履歴に関する情報の抽出範囲に基づき繰り返し、次いで、所定の取得履歴に関する情報の抽出範囲に基づくタグの取得履歴に関する情報の抽出に用いた全ての検索条件を用いて記録部を順次検索し、該当する検索用タグ付き観察情報を抽出するように構成されている。
このようにすれば、抽出部による、同一の細胞株から培養され継代された、複数代に跨る細胞の検索用タグ付き観察情報の抽出が具現化できることに加えて、抽出部による検索用タグ付き観察情報抽出処理の処理過程における検索・抽出処理の効率が向上する。
【００４１】
（２−１−１）所定の取得履歴に関する情報の抽出範囲が、第２の培養器材識別情報が記録されていないタグの取得履歴に関する情報を抽出するまでとなる構成による作用効果
また、本発明の実施形態の細胞観察情報処理システムにおいては、好ましくは、所定の取得履歴に関する情報の抽出範囲が、第２の培養器材識別情報が記録されていないタグの取得履歴に関する情報を抽出するまでとなるように構成されている。
このようにすれば、データベース内で辿ることのできる最も古い継代元の代のデータまで、複数代に跨る細胞の検索用タグ付き観察情報の抽出が具現化できる。
【００４２】
（２−１−２）所定の取得履歴に関する情報の抽出範囲が、ユーザの操作により指定される構成である構成による作用効果
また、本発明の実施形態の細胞観察情報処理システムにおいては、好ましくは、検索用タグは、さらに、観察情報取得時点の日時情報を含み、所定の取得履歴に関する情報の抽出範囲が、ユーザの操作により指定された観察情報取得時点の日時情報の範囲となるように構成されている。
または、本発明の実施形態の細胞観察情報処理システムにおいては、好ましくは、検索用タグは、さらに、第１の培養器材で培養される細胞の継代数を含み、所定の取得履歴に関する情報の抽出範囲が、ユーザの操作により指定された継代数の範囲となるように構成されている。
これらのようにすれば、ユーザが必要とする範囲における、複数代に跨る細胞の検索用タグ付き観察情報の抽出が具現化できる。
【００４３】
（２−２）タグ取得部がタグの取得履歴に関する情報に備わる第１の培養器材識別情報、第２の培養器材識別情報を取得するための構成及び作用効果
（２−２−１）タグ取得部が、ユーザにより指定された細胞名を用いて記録部を検索し、該当するタグの取得履歴に関する情報のうち、第１の培養器材で培養される細胞の継代数が最も大きいタグの取得履歴に関する情報に備わる第１の培養器材識別情報を、第１の培養器材識別情報の候補として提示部に一覧出力し、ユーザにより選択された第１の培養器材識別情報を検索用タグの一部として取得するとともに、第１の培養器材識別情報を備えたタグの取得履歴に関する情報に備わる第２の培養器材識別情報を検索用タグの一部として自動的に取得する構成による作用効果
また、本発明の実施形態の細胞観察情報処理システムにおいては、好ましくは、検索用タグは、さらに、第１の培養器材で培養される細胞の継代数を含む。そして、タグ取得部は、ユーザの操作により指定された細胞名を用いて記録部を検索し、該当するタグの取得履歴に関する情報から、第１の培養器材で培養される細胞の継代数が最も大きいタグの取得履歴に関する情報を抽出し、抽出した検索用タグ付き観察情報に備わる第１の培養器材識別情報を、検索用タグの一部として取得すべき第１の培養器材識別情報の候補として提示部に一覧出力する。そして、提示部に一覧出力した第１の培養器材識別情報の候補のうち、ユーザの操作により選択された第１の培養器材識別情報を、検索用タグの一部として取得するとともに、当該ユーザの操作により選択された第１の培養器材識別情報を備えたタグの取得履歴に関する情報に備わる第２の培養器材識別情報を、検索用タグの一部として自動的に取得するように構成されている。
このようにすれば、ユーザが第１の培養器材識別情報、第２の培養器材識別情報をキー入力する手間が省けるとともに、キーの打ち間違いを無くすことができる。その結果、検索用タグ取得の効率が向上し、細胞の状態チェックの時間を短縮化できる。加えて、タグ取得部による検索用タグ取得処理の処理過程における検索・抽出処理の効率が向上する。
【００４４】
（２−２−２）タグ取得部が、ユーザにより指定された第１の培養器材識別情報を、検索用タグの一部として取得するとともに、ユーザにより指定された細胞名及び第１の培養器材識別情報を用いて記録部を検索し、該当するタグの取得履歴に関する情報に備わる第２の培養器材識別情報を、検索用タグの一部として自動的に取得する構成による作用効果
また、本発明の実施形態の細胞観察情報処理システムにおいては、好ましくは、タグ取得部は、ユーザの操作により指定された第１の培養器材識別情報を、検索用タグの一部として取得するとともに、ユーザの操作により指定された細胞名及び第１の培養器材識別情報を用いて記録部を検索し、該当するタグの取得履歴に関する情報が存在するとき、当該タグの取得履歴に関する情報に備わる第２の培養器材識別情報を、検索用タグの一部として自動的に取得するように構成されている。
このようにすれば、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。加えて、タグ取得部による検索用タグ取得処理の処理過程における検索・抽出処理の効率が向上する。
【００４５】
（２−２−３）タグ取得部が、ユーザにより第１の培養器材識別情報として新規の培養器材識別情報が指定されたとき、ユーザにより指定された第１の培養器材識別情報を、検索用タグの一部として取得するとともに、ユーザにより指定された細胞名を用いて記録部を検索し、該当するタグの取得履歴に関する情報のうち、継代有無情報が継代作業であることを表す、観察情報取得時点が直近のタグの取得履歴に関する情報に備わる第１の培養器材識別情報を、第２の培養器材識別情報の候補として提示部に一覧出力し、ユーザの操作により選択された第２の培養器材識別情報を、検索用タグの一部として取得する構成による作用効果
また、本発明の実施形態の細胞観察情報処理システムにおいては、好ましくは、検索用タグは、さらに、第１の細胞に対する作業が継代作業であるか否かを表す継代有無情報及び観察情報取得時点の日時情報を含む。そして、タグ取得部は、ユーザの操作により検索用タグの一部として取得すべき第１の培養器材識別情報として新規の培養器材識別情報が指定されたとき、ユーザの操作により指定された第１の培養器材識別情報を、検索用タグの一部として取得するとともに、ユーザの操作により指定された細胞名を用いて記録部を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出し、抽出したタグの取得履歴に関する情報に備わる第１の培養器材識別情報を、検索用タグの一部として取得すべき第２の培養器材識別情報の候補として提示部に一覧出力する。そして、提示部に一覧出力した第２の培養器材識別情報の候補のうち、ユーザの操作により選択された第２の培養器材識別情報を、検索用タグの一部として取得するように構成されている。
このようにしても、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。加えて、タグ取得部による検索用タグ取得処理の処理過程における検索・抽出処理の効率が向上する。
【００４６】
（２−２−４）タグ取得部が、ユーザにより指定された第１の培養器材識別情報を、検索用タグの一部として取得するとともに、ユーザにより指定された細胞名及び第１の培養器材識別情報を用いて記録部を検索し、該当するタグの取得履歴に関する情報が存在しないとき、さらに、ユーザにより指定された細胞名を用いて記録部を検索し、該当するタグの取得履歴に関する情報のうち、継代有無情報が継代作業であることを表す、観察情報取得時点が直近のタグの取得履歴に関する情報に備わる第１の培養器材識別情報を、第２の培養器材識別情報の候補として提示部に一覧出力し、ユーザにより選択された第２の培養器材識別情報を、検索用タグの一部として取得する構成による作用効果
また、本発明の実施形態の細胞観察情報処理システムにおいては、好ましくは、検索用タグは、さらに、第１の培養器材で培養される細胞に対する作業が継代作業であるか否かを表す継代有無情報及び観察情報取得時点の日時情報を含む。そして、タグ取得部は、ユーザの操作により指定された第１の培養器材識別情報を、検索用タグの一部として取得するとともに、ユーザの操作により指定された細胞名及び第１の培養器材識別情報を用いて記録部を検索し、該当するタグの取得履歴に関する情報が存在しないとき、さらに、ユーザの操作により指定された細胞名を用いて記録部を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出し、抽出したタグの取得履歴に関する情報に備わる第１の培養器材識別情報を、検索用タグの一部として取得すべき第２の培養器材識別情報の候補として提示部に一覧出力し、提示部に一覧出力した第２の培養器材識別情報の候補のうち、ユーザの操作により選択された第２の培養器材識別情報を、検索用タグの一部として取得するように構成されている。
このようにしても、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。加えて、タグ取得部による検索用タグ取得処理の処理過程における検索・抽出処理の効率が向上する。
【００４７】
（３）その他
なお、本発明の実施形態の細胞観察情報取得システムにおいては、好ましくは、ユーザ識別情報（本人や代表作業者）を検索用タグに備えて構成する。
ユーザ識別情報は、細胞観察を行うユーザを識別するための識別情報であって、より詳しくは、細胞の観察結果の入力を行う本人又は本人に代わり細胞観察や細胞の観察結果の入力を行なう代行者を識別するための識別情報である。
このようにすれば、複数のユーザ同士で同一の細胞名を付与した細胞の管理状況下にあっても、タグ取得部による検索用タグ取得処理の処理過程において提示部に表示された第１の培養器材識別情報を一覧から選択する際に、自己の管理下で観察情報への付与に使用した、第１の培養器材識別情報のみを提示部に一覧出力でき、他人の管理下で観察情報への付与に使用された参照不要な第１の培養器材識別情報を提示部への出力対象から除外できる。このため、ユーザによる観察情報に検索用タグの一部として付与すべき第１の培養器材識別情報の選択の誤りを防止できるとともに、選択の効率が向上する。その結果、検索用タグ取得の効率がより一層向上し、細胞の状態チェックの時間をより一層短縮化できる。
また、抽出部による検索用タグ付き観察情報抽出処理等の処理過程において、検索・抽出に不要な、他人の管理下による細胞の観察情報を除外できる。このため、ユーザは、複数のユーザ同士で同一の細胞名を付与した細胞の管理状況下にあっても、自己の管理下のみの、複数代に跨る特定系統の細胞の観察情報を正確に把握することができる。
【００４８】
以下、本発明の実施形態について、図面を参照して説明する。
【００４９】
第１実施形態
図１は本発明の細胞観察情報処理システムの基本構成を概念的に示すブロック図である。図２は本発明の第１実施形態にかかる細胞観察情報処理システムの構成を示す説明図である。
第１実施形態の細胞観察情報処理システム１０は、図１、図２に示すように、タグ取得部１１と、保存部１２と、検索条件取得部１４と、抽出部１５を備えている。なお、図１及び図２中、１は細胞観察情報処理装置本体、１３は記録部、１６はタグ選択部、１８は提示部としてのモニタ、１９は出力部、２０は観察情報取得部、２１はタグ入力部である。なお、図２では、細胞観察情報処理システム１０は、タグ取得部１１と、保存部１２と、検索条件取得部１４と、抽出部１５とが、記録部１３、タグ選択部１６、タグ入力部２１、提示部１８、出力部１９、観察情報取得部２０とともに、一つの装置本体１に備えられたスタンドアロン型の構成となっている。細胞観察情報処理装置本体１は、例えば、撮像装置とデータベースを備えたコンピュータを備えた顕微鏡装置で構成されている。
【００５０】
タグ取得部１１は、１時点での取得指示に対応して観察情報取得部２０を介して取得された、細胞画像及び細胞の活性度を示す活性度データを含む観察情報を検索するための検索用タグとして細胞名、観察対象となっている細胞を培養する培養器材である第１の培養器材を継代数が同一の細胞を培養する他の培養器材と区別するための第１の培養器材識別情報及び第１の培養器材で培養される細胞に対する継代元の細胞を培養する培養器材である第２の培養器材を特定するための第２の培養器材識別情報を含む細胞識別情報を含むタグを取得するように構成されている。なお、観察情報、細胞名、培養器材、細胞識別情報は、上述したとおりである。
【００５１】
詳しくは、タグ取得部１１は、例えば、細胞観察情報処理装置本体１に備わる、提示部１８の図示しないユーザＩＤ入力画面において、ユーザが選択入力したユーザ識別情報としてのユーザＩＤや、例えば、細胞観察情報処理装置本体１に備わる、図３に示すような提示部１８の検索用タグ指定・入力画面１８ｄにおいて、ユーザがタグ選択部１６やタグ入力部２１を介して指定・入力した細胞名、第１の培養器材識別情報、第２の培養器材識別情報を含むタグを検索用タグとして取得するように構成されている。
なお、本実施形態では、便宜上、ユーザ識別情報としてユーザＩＤを用いることとするが、ユーザ識別情報は、ユーザＩＤに限定されるものではなく、例えば、ユーザの氏名やニックネーム等、ユーザを他のユーザと識別できる文字や記号等であればどのようなものでもよい。
【００５２】
図３中、１８ａはユーザＩＤ表示項目、１８ｂは日時情報表示項目、１８ｃは細胞画像及び活性度データ等の観察情報表示画面、１８ｄは検索用タグ入力画面である。
ユーザＩＤ表示項目１８ａは、ユーザＩＤ入力画面において、ユーザが選択入力したユーザ識別情報を表示するように構成されている。日時情報表示項目１８ｂは、観察情報取得部２０を介して取得された当該観察情報における細胞画像にログとして記録されている撮像日時を表示するように構成されている。観察情報表示画面１８ｃは、観察情報取得部２０を介して取得された当該観察情報における細胞画像や、細胞画像に対し、例えば、図示しない画像処理部及び画像解析部を介した画像処理及び解析を施すことによって検出した細胞数・細胞密度・形状・生存率などの細胞の活性度を示す活性度データを表示するように構成されている。
【００５３】
検索用タグ指定・入力画面１８ｄは、ユーザが、例えば、細胞名、第１の培養器材識別情報、第２の培養器材識別情報を含む細胞識別情報を、検索用タグの一部としてタグ選択部１６やタグ入力部２１を介して指定・入力可能に構成されている。なお、検索用タグ指定・入力画面１８ｄは、ユーザが、その他の検索用タグの一部として、例えば、細胞識別情報の一部である継代数をタグ選択部１６やタグ入力部２１を介して指定・入力可能にも構成されている。また、検索用タグ指定・入力画面１８ｄは、さらに、ユーザが、ユーザ識別情報としてのユーザＩＤをタグ選択部１６やタグ入力部２１を介して指定・入力可能に構成されていてもよい。
提示部１８は、さらに、継代作業有無選択ボタン１８ｅを表示し、当該観察時点における細胞に対する作業が継代作業であるか否かの指示を選択可能に構成されている。選択された指示内容は検索用タグの一部として、タグ取得部１１が取得する。
【００５４】
なお、図３の検索用タグ指定・入力画面１８ｄは、タグ取得部１１が検索用タグの一部として取得しうるその他のタグとして、ユーザ識別情報、細胞識別情報、観察情報を取得した日時を識別するための日時情報、ユーザによる細胞のメンテナンスのための作業に関する情報、装置識別情報、活性度データの変化情報及び画像タグにおける、所望の下位概念の項目（例えば、細胞識別情報における細胞種、子株又は親株の細胞レベル情報など）をタグ選択部１６やタグ入力部２１を介して指定・入力可能に構成されていても勿論よい。
【００５５】
図４は検索用タグ指定・入力画面１８ｄにおける要部項目の一例を概念的に示す説明図である。図４中、１８ｄ−１はユーザＩＤ指定・入力項目、１８ｄ−２は細胞名指定・入力項目、１８ｄ−３は第１の培養器材指定・入力項目、１８ｄ−４は第２の培養器材指定・入力項目である。なお、図４の例の検索用タグ指定・入力画面１８ｄでは、ユーザＩＤ指定・入力項目１８ｄ−１を設けてユーザＩＤを指定・入力可能に構成したが、上述した図示しないユーザＩＤ入力画面においてユーザが選択したユーザＩＤをタグ取得部１１が取得するような構成の場合には、ユーザＩＤ指定・入力項目は設けなくてもよい。
【００５６】
タグ取得部１１は、ユーザによりタグ選択部１６やタグ入力部２１を介して指定・入力されたユーザＩＤ、細胞名を用いて記録部１３を検索し、該当する検索用タグ付き観察情報から、第１の培養器材で培養される細胞の継代数が最も大きい検索用タグ付き観察情報を抽出する。次いで、タグ取得部１１は、抽出した検索用タグ付き観察情報に備わる第１の培養器材識別情報を、検索用タグの一部として取得すべき第１の培養器材識別情報の候補として、出力部１９を介して提示部１８に一覧出力させるように構成されている。なお、提示部１８は、図４に示すように、出力部１９を介して出力された第１の培養器材識別情報の候補の一覧を、新規登録のバーとともにプルダウンメニュー形式で表示する表示画面１８ｄ−３１を有している。図４の例では、第１の培養器材識別情報の候補を示すバーとして“Ｐ１−１”、“Ｐ１−２”が示されている。また、新規登録を示すバーとして、“新規追加”が示されている。
なお、本実施形態では、第１の培養器材識別情報は、第１の培養器材で培養される細胞の継代数と、第１の培養器材に固有の識別情報を有して構成されている。例えば、表示画面１８ｄ−３１に第１の培養器材識別情報の候補を示すバーとして示されている“Ｐ１−１”のうちの、“Ｐ１”は継代数、“１”は第１の培養器材を識別するための識別番号である。また、本実施形態では、便宜上、継代数を“Ｐ”といった文字付きの数字で示すこととするが、継代数は数字のみで構成しても勿論よい。
【００５７】
また、タグ取得部１１は、ユーザによりタグ選択部１６を介して表示画面１８ｄ−３１からいずれかの第１の培養器材識別情報の候補のバーが選択された場合、ユーザにより選択された第１の培養器材識別情報を備えた検索用タグ付き観察情報に備わる第２の培養器材識別情報を、検索用タグの一部として自動的に取得するように構成されている。
【００５８】
また、ユーザによりタグ選択部１６を介して新規登録のバーが選択された場合、提示部１８は、第１の培養器材識別情報指定・入力項目１８ｄ−３からのユーザによるタグ選択部１６やタグ入力部２１を介した第１の培養器材の指定・入力を受け付けるように構成されている。
そして、タグ取得部１１は、ユーザによりタグ選択部１６やタグ入力部２１を介して指定・入力されたユーザＩＤ、細胞名を用いて記録部１３を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出する。次いで、タグ取得部１１は、抽出した検索用タグ付き観察情報に備わる第１の培養器材識別情報を、検索用タグの一部として取得すべき第２の培養器材識別情報の候補として、出力部１９を介して提示部１８に一覧出力させるように構成されている。なお、提示部１８は、図４に示すように、出力部１９を介して出力された第２の培養器材識別情報の候補の一覧を、その他の第２の培養器材識別情報を指定するためのバーとともにプルダウンメニュー形式で表示する表示画面１８ｄ−４１を有している。図４の例では、第２の培養器材識別情報の候補を示すバーとして“Ｐ０−１”が示されている。
なお、本実施形態では、第２の培養器材識別情報は、第２の培養器材で培養される細胞の継代数と、第２の培養器材に固有の識別情報を有して構成されている。例えば、表示画面１８ｄ−４１に第２の培養器材識別情報の候補を示すバーとして示されている“Ｐ０−１”のうちの、“Ｐ０”は継代数、“１”は第２の培養器材を識別するための識別番号である。
【００５９】
また、タグ取得部１１は、ユーザによりタグ選択部１６を介して表示画面１８ｄ−４１からいずれかの第２の培養器材識別情報のバーが選択された場合、ユーザにより選択された第２の培養器材識別情報を、検索用タグの一部として取得するように構成されている。
なお、その他の第２の培養器材を指定するためのバーが選択された場合、提示部１８は、第２の培養器材識別情報指定・入力項目１８ｄ−４からのユーザによるタグ選択部１６やタグ入力部２１を介した第２の培養器材の指定・入力を受け付けるように構成されている。
そして、タグ取得部１１は、ユーザによりタグ選択部１６やタグ入力部２１を介して指定・入力された第２の培養器材識別情報を、検索用タグの一部として取得するように構成されている。
【００６０】
なお、図４の例では、検出用タグとしての第１の培養器材識別情報を取得する際に、出力部１９を介して出力された第１の培養器材識別情報の候補の一覧を、新規登録のバーとともにプルダウンメニュー形式で表示画面１８ｄ−３１に表示し、第１の培養器材識別情報の候補の一覧からいずれかの第１の培養器材識別情報のバーあるいは、新規登録のバーをユーザに選択させるように構成したが、第１の培養器材識別情報指定・入力項目１８ｄ−３から直接的にユーザに第１の培養器材識別情報を指定・入力させるように構成されていてもよい。
その場合、タグ取得部１１は、ユーザにより指定・入力された第１の培養器材識別情報を、検索用タグの一部として取得するとともに、ユーザにより指定・入力されたユーザＩＤ、細胞名、第１の培養器材識別情報を用いて記録部１３を検索するように構成される。
そして、該当する検索用タグ付き観察情報が存在する場合、タグ取得部１１は、当該検索用タグ付き観察情報に備わる第２の培養器材識別情報を、検索用タグにおける第２の培養器材識別情報として自動的に取得するように構成される。
【００６１】
一方、該当する検索用タグ付き観察情報が存在しないとき、タグ取得部１１は、さらに、ユーザにより指定・入力されたユーザＩＤ、細胞名を用いて記録部１３を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出する。次いで、タグ取得部１１は、抽出した検索用タグ付き観察情報に備わる第１の培養器材識別情報を、検索用タグの一部として取得すべき第２の培養器材識別情報の候補として、出力部１９を介して提示部１８の表示画面１８ｄ−４１に一覧出力させるように構成される。
ユーザによりタグ選択部１６を介して表示画面１８ｄ−４１からいずれかの第２の培養器材識別情報のバーが選択された場合、あるいは、その他の第２の培養器材を指定するためのバーが選択された場合におけるタグ取得部１１、提示部１８の構成は、上述したとおりである。
【００６２】
また、タグ取得部１１は、観察情報取得部２０を介して取得された夫々の観察情報における細胞画像にログとして記録されている撮像日時を、観察情報を取得した日時を識別するための日時情報として取得する。さらに、タグ取得部１１は、観察情報取得部２０を介して取得された夫々の観察情報における細胞画像から画像タグを取得することができるように構成されている。
なお、画像タグとは、細胞画像を示すためのタグで、より詳しくは、例えば、提示部１８に提示される図示しない画像選択入力画面において、小さなサイズで表示されうる画像や、画像と画像に対応した名称とが一体化した情報である。
【００６３】
タグ選択部１６は、提示部１８の表示画面１８ｄ−３１、１８ｄ−４１等に、プルダウンメニュー形式で表示されたバーの一覧の中から、ユーザが所望のバーを選択することができるように構成されている。
【００６４】
タグ入力部２１は、所定の操作により、提示部１８に表示される、検索用タグ指定・入力画面１８ｄや図６に示す後述の検索条件指定・入力画面１８ｅに備わる各指定・入力項目から、ユーザが所望のタグを文字・数字・記号等のキーを用いて手入力することができるように構成されている。
【００６５】
出力部１９は、タグ取得部１１や後述の抽出部１５により抽出された情報を提示部１８に出力するように構成されている。
【００６６】
観察情報取得部２０は、１時点での取得指示に対応して観察情報を取得するように構成されている。より詳しくは、観察情報取得部２０は、装置本体１に備わる、図示しない画像撮像指示画面からユーザが観察名を入力するとともに観察情報取得の指示ボタンを押下したときに作動し、装置本体１に備わる、図示しない撮像装置に観察位置に位置する細胞を含む試料を撮像させ、撮像された細胞画像に対し、例えば、図示しない画像処理部及び画像解析部を介した画像処理及び解析処理を施すことによって、細胞数・細胞密度・形状・生存率などの細胞の活性度を示す活性度データを検出し、例えば、細胞画像と活性度データと観察名を一つの観察情報として、装置本体１内の図示しない記憶領域に一時的に記憶する。
【００６７】
保存部１２は、各時点での取得指示に対応して観察情報取得部２０により取得された夫々の観察情報に対して、タグ取得部１１により取得された検索用タグを付与し、検索用タグを付与した検索用タグ付き観察情報を記録部１３に保存するように構成されている。
【００６８】
記録部１３は、例えば、図５に示すように、１以上の検索用タグ付き観察情報のレコードを有している。夫々のレコードは、各時点での細胞画像の撮像に対応して作成され、１時点での細胞画像の撮像に対応する１つの観察情報と、観察情報を検索するための検索用タグとが互いに関連付けられている。
【００６９】
検索条件取得部１４は、検索用タグ付き観察情報に付与されている検索用タグのうち、細胞名及び第１の培養器材識別情報を含むタグを検索条件として取得するように構成されている。
【００７０】
詳しくは、検索条件取得部１４は、例えば、装置本体１に備わる、図６に示すような提示部１８の検索条件指定・入力画面１８ｅにおいて、ユーザによりタグ選択部１６やタグ入力部２１を介して指定・入力されたユーザ識別情報としてのユーザＩＤ、細胞識別情報としての細胞名、第１の培養器材識別情報の各項目を含むタグを検索条件として取得するように構成されている。
図６中、１８ｅ−１はユーザＩＤ指定・入力項目、１８ｅ−２は細胞名指定・入力項目、１８ｅ−３は第１の培養器材指定・入力項目である。これらの項目は、ユーザにとって必須の指定・入力項目として構成されている。
なお、各指定・入力項目１８ｅ−１〜１８ｅ−３は、図示しないプルダウンメニュー形式の表示画面に表示される数件の候補情報からユーザが選択入力することができるように構成してもよい。
【００７１】
また、検索条件指定画面１８ｅは、さらに、検索条件を用いた所定の観察情報の抽出範囲として、継代数の範囲や観察情報取得時点の日時情報の範囲をユーザが指定・入力することができるように構成してもよい。図６中、１８ｅ−４は日時情報の範囲指定・入力項目、１８ｅ−５は継代数の範囲指定・入力項目である。これらの項目は、ユーザが必要に応じて、いずれか一方を選択して指定・入力することができるように構成されている。
なお、日時情報の範囲指定・入力項目１８ｅ−４は、検索範囲の開始と終了の観察情報取得時点の日時情報を指定・入力するように構成される。あるいは、現在の観察情報取得時点から遡る期間を指定・入力するように構成されていてもよい。
また、継代数の範囲指定・入力項目１８ｅ−５は、検索範囲の開始と終了の継代数を指定・入力するように構成される。あるいは、現在の継代数から遡る代の数を指定・入力するように構成されていてもよい。
【００７２】
さらに、図６の検索条件指定・入力画面１８ｅは、便宜上あくまでも本発明の実施形態における要部項目のみを示した一例に過ぎず、検索条件取得部１４が取得しうるその他の検索条件用のタグとして、ユーザ識別情報、細胞識別情報、観察情報を取得した日時を識別するための日時情報、ユーザによる細胞のメンテナンスのための作業に関する情報、装置識別情報、活性度データの変化情報及び画像タグにおける、所望の下位概念の項目（例えば、細胞識別情報における細胞種、子株又は親株の細胞レベル情報、継代数など）を任意に組み合わせたものを入力項目としても勿論よい。
なお、ユーザによる細胞のメンテナンスのための作業に関する情報は、より詳しくは、作業の内容、希釈率、容器種類や容器サイズ等のうちの少なくとも一つ以上を含む識別情報である。
希釈率とは、培養容器内で培養されている細胞を、継代や実験のために間引くときの間引き量である。
また、活性度データの変化情報は、例えば、複数時点での活性度データ（例えば、細胞密度、細胞数、生存率）の変化量（即ち、変化率）であり、例えば、グラフの傾き等で示すことができる情報である。
また、図６の例の検索条件指定・入力画面１８ｅにおけるユーザＩＤ指定・入力項目１８ｅ−１に、ユーザＩＤ入力画面においてユーザにより選択入力されたユーザＩＤを初期表示するように構成してもよい。その場合、さらには、ユーザＩＤ指定・入力項目１８ｅ−１の代わりに、ユーザＩＤ表示項目を設けて、ユーザＩＤ入力画面においてユーザにより選択入力されたユーザＩＤの表示のみを行い、ユーザによるユーザＩＤ入力を省くように構成してもよい。
【００７３】
抽出部１５は、検索条件取得部１４により取得された検索条件を用いて記録部１３を検索し、同一の細胞株から培養され継代された、複数代に跨る細胞の検索用タグ付き観察情報を抽出するように構成されている。
【００７４】
詳しくは、抽出部１５は、検索条件取得部１４により取得された検索条件を用いて記録部１３を検索し、該当する検索用タグ付き観察情報を抽出した後、さらに、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、所定の観察情報の抽出範囲に基づき繰り返すように構成されている。
【００７５】
また、所定の観察情報の抽出範囲は、例えば、検索条件指定・入力画面１８ｅにおける、日時情報の範囲指定・入力項目１８ｅ−４、継代数の範囲指定・入力項目１８ｅ−５への入力の有無に応じて、次のように定まるように構成されている。
例えば、図６の検索条件指定・入力画面１８ｅにおいて、日時情報の範囲指定・入力項目１８ｅ−４、継代数の範囲指定・入力項目１８ｅ−５のいずれにも指定・入力がない場合、所定の観察情報の抽出範囲は、“データベース内で辿れる最終データまで”、即ち、“第２の培養器材識別情報が記録されていない検索用タグ付き観察情報を抽出するまで”に定まる。
そして、抽出部１５は、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、第２の培養器材識別情報を備えていない検索用タグ付き観察情報を抽出するまで繰り返す。
【００７６】
また、例えば、図６の検索条件指定・入力画面１８ｅにおいて、日時情報の範囲指定・入力項目１８ｅ−４に指定・入力がある場合、所定の観察情報の抽出範囲は、“日時情報の範囲指定・入力項目１８ｅ−４に指定・入力された日時情報の範囲”に定まる。
そして、抽出部１５は、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、日時情報の範囲指定・入力項目１８ｅ−４に指定・入力された日時情報の範囲の日時情報を有する全ての検索用タグ付き観察情報を抽出し終えるまで繰り返す。
【００７７】
また、例えば、図６の検索条件指定・入力画面１８ｅにおいて、継代数の範囲指定・入力項目１８ｅ−５に指定・入力がある場合、所定の観察情報の抽出範囲は、“継代数の範囲指定・入力項目１８ｅ−５に指定・入力された継代数の範囲”に定まる。
そして、抽出部１５は、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、継代数の範囲指定・入力項目１８ｅ−５に指定・入力された継代数の範囲の継代数を有する全ての検索用タグ付き観察情報を抽出し終えるまで繰り返す。
【００７８】
また、細胞観察情報処理装置本体１は、例えば、図示しないシステムのログイン画面を備えている。そして、ユーザがシステムのログイン画面において、システムのログインＩＤやパスワードを入力すると、図示しないユーザＩＤ入力画面が表示される。また、ユーザＩＤ入力画面において、ユーザがユーザ識別情報として自己のユーザＩＤをユーザＩＤ選択入力部から選択入力すると、ユーザＩＤが装置本体１内の図示しない記憶領域に一時的に記憶されるとともに、図示しない画像撮像指示画面が表示され、ユーザが画像撮像指示操作を行うことができるように構成されている。なお、ユーザＩＤ入力画面において、ユーザがユーザＩＤ選択入力とともに、システムのログインＩＤやパスワードを入力するように、システムのログイン画面としての機能を兼ね備えた構成としてもよい。
【００７９】
さらに、細胞観察情報処理システム１０は、好ましくは、抽出部１５が抽出した検索用タグ付き観察情報を含むデータをユーザに提示するための図示しない表示画面を提示部１８に備えている。
【００８０】
このように構成された第１実施形態の細胞観察情報処理システムを用いた、細胞の状態管理の処理手順を説明する。
ユーザが培養している細胞の状態を管理する段階には、培養している細胞の観察情報を記録部に保存する段階と、記録部から所望の細胞の観察情報を検索・抽出して細胞の状態をチェックする段階とがある。
【００８１】
まず、培養している細胞の観察情報を記録部に保存する段階での処理手順について、図７及び図８を用いて概略的に説明する。なお、図７に示す記録部のデータ構造の例では、便宜上、一部のデータ項目のみを載せてある。
ユーザは、図示しないシステムのログイン画面において、システムのログインＩＤやパスワードを入力する。すると、図示しないユーザＩＤ入力画面が表示される。次いで、ユーザは、自己のユーザＩＤ（図７の例では“ユーザ１”とする。）を選択入力する。すると、ユーザＩＤが装置本体１内の記憶領域に一時的に記憶されるとともに、図示しない画像撮像指示画面が表示され、ユーザが画像撮像指示操作を行うことができるようになる。
【００８２】
次いで、ユーザは、図示しない画像撮像指示画面において観察名を入力し、観察情報取得を指示する指示ボタンを押下する。すると、観察情報取得部２０は、観察位置に位置する細胞を含む試料を図示しない撮像装置に撮像させ、撮像された細胞画像に対し、例えば、図示しない画像処理部及び画像解析部を介した画像処理及び解析を施すことによって、細胞数・細胞密度・形状・生存率などの細胞の活性度を示す活性度データを検出する。そして、細胞画像と活性度データと観察名を一つの観察情報として、装置本体１内の図示しない一時記憶領域に記憶する。これにより１時点における観察情報が取得される（ステップＳ１）。なお、観察情報の取得は、取得時点を異ならせて複数回繰り返すことができる（ステップＳ２）。
【００８３】
ユーザによる画像撮像指示画面からの入力・観察画像取得指示、観察情報取得部２０による観察情報の取得が終了後、ユーザは、図４に示したような検索用タグ指定・入力画面１８ｄにおいて、観察情報に付与するための検索用タグとして、ユーザＩＤ、細胞名、第１の培養器材識別情報、第２の培養器材識別情報を、その他の例えば、親株又は子株の細胞レベル情報、継代数などとともに、夫々の指定・入力指定項目、表示画面等を介して指定・入力する。入力が完了すると、タグ取得部１１は、検索用タグ指定・入力画面１８ｄにおいてユーザにより指定・入力された細胞名、第１の培養器材識別情報、第２の培養器材識別情報を含む全てのタグ（なお、ユーザＩＤのタグについては、検索用タグ指定・入力画面１８ｄにおいてユーザにより指定・入力されたユーザＩＤ又はユーザＩＤ選択画面においてユーザにより選択入力されたユーザＩＤ）を検索用タグとして取得する（ステップＳ３）。
【００８４】
なお、図８の例では、観察情報取得部２０による観察情報の取得を複数回繰り返した後に、検索用タグ指定・入力画面１８ｄにおけるタグの指定・入力、タグ取得部１１による検索用タグの取得を行うように提示部を切り換える構成としたが、観察情報取得部２０による観察情報の取得の都度、検索用タグ指定・入力画面１８ｄにおけるタグの指定・入力、タグ取得部１１による検索用タグの取得を行うように提示部１８を切り換えるように構成してもよい。また、検索用タグの付与タイミングに関し、観察情報取得部２０による観察情報の取得後に、リアルタイムで検索用タグ指定・入力画面１８ｄにおけるタグ入力、タグ取得部１１による検索用タグの取得を行うように提示部１８を切り換えるように構成してもよいし、観察情報取得部２０による観察情報の取得後より一定期間経過後に、検索用タグ指定・入力画面１８ｄにおけるタグの指定・入力、タグ取得部１１による検索用タグの取得を行うように提示部１８を切り換えるように構成してもよい。
【００８５】
次いで、保存部１２が、各時点での取得指示に対応して取得された夫々の観察情報に対して、タグ取得部１１により取得された検索用タグを付与し（ステップＳ４）、検索用タグを付与した検索用タグ付き観察情報を記録部１３に保存する（ステップＳ５）。
全ての時点の観察情報に対する検索用タグの付与及び検索用タグ付き観察情報の記録部１３への保存が完了したとき、培養している細胞の観察情報を記録部に保存する段階での処理が終了する（ステップＳ６）。
【００８６】
ここで、検索用タグの取得処理（ステップＳ３）における要部のタグの取得手順について、さらに説明する。図９は図８に示した検索用タグの取得処理における要部のタグの取得手順の一例を概略的に示すフローチャートである。なお、ここでは、要部のタグを、ユーザＩＤ、細胞名、第１の培養器材識別情報、第２の培養器材識別情報とする。
【００８７】
検索用タグの取得処理において、ユーザは、提示部１８からユーザＩＤ、細胞名を指定・入力する（ステップＳ２１）。すると、タグ取得部１１は、ユーザにより指定・入力されたユーザＩＤ、細胞名を検索用タグの一部として取得する（ステップＳ２２）。次いで、タグ取得部１１は、検索用タグの一部として取得すべき第１の培養器材識別情報の候補を提示部１８に一覧表示させる（ステップＳ２３）。ユーザは、提示部１８に一覧表示された候補のうちから所望の第１の培養器材識別情報を指定・入力する（ステップＳ２４）。すると、タグ取得部１１は、ユーザにより指定・入力された第１の培養器材識別情報を検索用タグの一部として取得する（ステップＳ２５）。
【００８８】
ここで、ユーザにより指定・入力された第１の培養器材識別情報が、記録部１３に保存されている同一ユーザＩＤ、細胞名を備えた検索用タグ付き観察情報における第１の培養器材識別情報として既存の情報である場合、タグ取得部１１は、当該第１の培養器材識別情報を備えた検出用タグ付き観察情報に備わる第２の培養器材識別情報を検索用タグの一部として取得する（ステップＳ２６、ステップＳ２７）。
【００８９】
一方、ユーザにより指定・入力された第１の培養器材識別情報が記録部１３に保存されている同一ユーザＩＤ、細胞名を備えた検索用タグ付き観察情報における第１の培養器材識別情報として新規の情報である場合、タグ取得部１１は、検索用タグの一部として取得すべき第２の培養器材識別情報の候補を提示部１８に一覧表示させる（ステップＳ２８）。ユーザは、提示部１８に表示された第２の培養器材識別情報の候補のうちから所望の第２の培養器材識別情報を指定・入力する（ステップＳ２９）。すると、タグ取得部１１は、ユーザにより指定・入力された第２の培養器材識別情報を検索用タグの一部として取得する（ステップＳ３０）。
【００９０】
さらに、図９に示した要部のタグを取得するための具体的な処理手順を、図１０、図１１を用いて説明する。
図１０は図９に示した要部のタグの取得手順を具体化した処理手順の一例を示すフローチャート、図１１は図１０の処理手順の変形例を示すフローチャートである。
まず、図１０の例の処理手順を説明する。
図１０の例の処理手順では、ユーザは、図４に示した検索用タグ指定・入力画面１８ｄのユーザＩＤ指定・入力項目１８ｄ−１、又は図示しないユーザＩＤ指定画面から、ユーザＩＤを指定・入力するとともに、検索用タグ指定・入力画面１８ｄの細胞名指定・入力項目１８ｄ−２から、細胞名を指定・入力する（ステップＳ３１）。すると、タグ取得部１１は、ユーザにより指定・入力されたユーザＩＤ、細胞名を検索用タグの一部として取得する（ステップＳ３２）。次いで、タグ取得部１１は、ユーザにより指定・入力されたユーザＩＤ、細胞名を用いて記録部１３を検索し、該当する検索用タグ付き観察情報から、第１の培養器材で培養される細胞の継代数が最も大きい検索用タグ付き観察情報を抽出する（ステップＳ３３）。次いで、タグ取得部１１は、抽出した検索用タグ付き観察情報に備わる第１の培養器材識別情報を、検索用タグの一部として取得すべき第１の培養器材識別情報の候補として、出力部１９を介して提示部１８に一覧出力させる。提示部１８は、出力部１９を介して出力された第１の培養器材識別情報の候補の一覧を、新規登録のバーとともにプルダウンメニュー形式の表示画面１８ｄ−３１に表示する（ステップＳ３４）。
次いで、ユーザは、表示画面１８ｄ−３１に表示された第１の培養器材識別情報の候補の一覧、新規登録のバーのうちから所望のバーを選択する（ステップＳ３５）。
【００９１】
ここで、ユーザによりいずれかの第１の培養器材識別情報の候補のバーが選択された場合、タグ取得部１１は、ユーザにより選択された第１の培養器材識別情報を、検索用タグの一部として取得する（ステップＳ３６、Ｓ３７）。次いで、タグ取得部１１は、ユーザにより選択された第１の培養器材識別情報を備えた検索用タグ付き観察情報に備わる第２の培養器材識別情報を、検索用タグの一部として自動的に取得する（ステップＳ３８）。
【００９２】
一方、ユーザにより新規登録のバーが選択された場合、提示部１８は、第１の培養器材識別情報指定・入力項目１８ｄ−３におけるユーザによる第１の培養器材識別情報の指定・入力を受け付ける。そして、ユーザは、検索用タグ指定・入力画面１８ｄの第１の培養器材識別情報指定・入力項目１８ｄ−３から、第１の培養器材識別情報を指定・入力する（ステップＳ３６、Ｓ３９）。すると、タグ取得部１１は、ユーザにより指定・入力された第１の培養器材識別情報を検索用タグの一部として取得する（ステップＳ４０）。
次いで、タグ取得部１１は、ユーザにより指定・入力されたユーザＩＤ、細胞名を用いて記録部１３を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出する（ステップＳ４１）。次いで、タグ取得部１１は、抽出した検索用タグ付き観察情報に備わる第１の培養器材識別情報を、検索用タグの一部として取得すべき第２の培養器材識別情報の候補として、出力部１９を介して提示部１８に一覧出力させる。提示部１８は、出力部１９を介して出力された第２の培養器材識別情報の候補の一覧を、その他の第２の培養器材識別情報を指定するためのバーとともにプルダウンメニュー形式の表示画面１８ｄ−４１に表示する（ステップＳ４２）。
次いで、ユーザは、表示画面１８ｄ−４１に表示された第２の培養器材識別情報の候補の一覧、その他の第２の培養器材識別情報を指定するためのバーのうちから所望のバーを選択する（ステップＳ４３）。
ここで、ユーザによりいずれかの第２の培養器材識別情報のバーが選択された場合、タグ取得部１１は、ユーザにより選択された第２の培養器材識別情報を、検索用タグの一部として取得する（ステップＳ４４、Ｓ４５）。
一方、ユーザによりその他の第２の培養器材を指定するためのバーが選択された場合、提示部１８は、第２の培養器材識別情報指定・入力項目１８ｄ−４からのユーザによる第２の培養器材の指定・入力を受け付ける。そして、ユーザは、検索用タグ指定・入力画面１８ｄの第２の培養器材識別情報指定・入力項目１８ｄ−４から、第２の培養器材識別情報を指定・入力する（ステップＳ４４、Ｓ４６）。すると、タグ取得部１１は、ユーザにより指定・入力された第２の培養器材識別情報を、検索用タグの一部として取得する（ステップＳ４７）。
【００９３】
次に、図１１に示す変形例の処理手順を説明する。
ユーザによるユーザＩＤ、細胞名の指定・入力（ステップＳ３１’）、タグ取得部１１によるユーザＩＤ、細胞名の検索用タグの一部としての取得（ステップＳ３２’）の処理手順は、図１０の例における処理手順と略同じである。
次に、ユーザは、図４に示した検索用タグ指定・入力画面１８ｄの第１の培養器材識別情報指定・入力項目１８ｄ−３から、第１の培養器材識別情報を指定・入力する（ステップＳ３３’）。すると、タグ取得部１１は、ユーザにより指定・入力された第１の培養器材識別情報を検索用タグの一部として取得する（ステップＳ３４’）。次いで、タグ取得部１１は、ユーザにより指定・入力されたユーザＩＤ、細胞名、第１の培養器材識別情報を用いて記録部１３を検索する（ステップＳ３５’）。
【００９４】
ここで、該当する検索用タグ付き観察情報が存在する場合、タグ取得部１１は、当該検索用タグ付き観察情報に備わる第２の培養器材識別情報を、検索用タグの一部として自動的に取得する（ステップＳ３６’、Ｓ３７’）。
【００９５】
一方、該当する検索用タグ付き観察情報が存在しない場合、タグ取得部１１は、さらに、ユーザにより指定・入力されたユーザＩＤ、細胞名を用いて記録部１３を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出する（ステップＳ３６’、Ｓ３８’）。次いで、タグ取得部１１は、抽出した第１の培養器材識別情報を備えた検索用タグ付き観察情報に備わる第１の培養器材識別情報を、検索用タグの一部として取得すべき第２の培養器材識別情報の候補として、出力部１９を介して提示部１８に一覧出力させる。提示部１８は、出力部１９を介して出力された第２の培養器材識別情報の候補の一覧を、その他の第２の培養器材を指定するためのバーとともにプルダウンメニュー形式の表示画面１８ｄ−４１に表示する（ステップＳ３９’）。
これに続く、ユーザによる所望のバーの選択（ステップＳ４０’）以降の処理手順は、図１０の例における処理手順と略同じである。
【００９６】
次に、記録部から所望の細胞の観察情報を検索・抽出して細胞の状態をチェックする段階での処理手順について、図１２及び図１３を用いて説明する。なお、図１２に示す記録部のデータ構造の例では、便宜上、一部のデータ項目のみを載せてある。
ユーザは、図６に示すような検索条件指定・入力画面１８ｅにおいて、ユーザＩＤ、細胞名、第１の培養器材識別情報を含むタグを検索条件として指定する。入力が完了すると、検索条件取得部１４は、検索条件指定画面においてユーザが入力した情報を検索条件として取得する（ステップＳ１１）。なお、上述したように、図６の検索条件指定・入力画面１８ｅにおけるユーザＩＤは、ユーザＩＤ入力画面においてユーザにより選択入力されたユーザＩＤを初期表示し、ユーザによる入力を省略するように構成されていてもよい。
【００９７】
次いで、抽出部１５は、検索条件取得部１４により取得された検索条件を用いて記録部１３を検索し、同一の細胞株から培養され継代された、複数代に跨る細胞の検索用タグ付き観察情報を記録部１３から抽出する（ステップＳ１２）。これにより、記録部から所望の細胞の観察情報を検索・抽出する処理が終了する。
【００９８】
抽出部１５が抽出した検索用タグ付き観察情報を含むデータは、検索条件取得部１４により取得された検索条件に応じた表示態様で図示しない表示画面に表示される。ユーザは、表示画面に表示された例えば図１４に示すような表示態様のデータを観察することで、細胞の状態をチェックする。これにより、記録部１３から所望の細胞の観察情報を検索・抽出して細胞の状態をチェックする段階での処理が終了する。
【００９９】
ここで、抽出部１５による同一の細胞株から培養され継代された、複数代に跨る細胞の検索用タグ付き観察情報の抽出処理（ステップＳ１２）の詳細について、さらに説明する。図１５は図１３に示した抽出部による同一の細胞株から培養され継代された、複数代に跨る細胞の検索用タグ付き観察情報の抽出処理の処理手順の一例を示すフローチャートである。
検索用タグ付き観察情報の取得処理において、抽出部１５は、検索条件取得部１４により取得された検索条件（ユーザＩＤ、細胞名、第１の培養器材識別情報を含むタグ）を用いて、記録部１３を検索し、該当する検索用タグ付き観察情報を抽出する（ステップＳ５１）。さらに、抽出部１５は、抽出した検索用タグ付き観察情報に備わる第２の培養器材識別情報を検索条件における第１の培養器材識別情報として置き換えた検索条件を用いて、記録部１３を再検索し、該当する検索用タグ付き観察情報を抽出する処理を所定の観察情報の抽出範囲に基づいて繰り返す（ステップＳ５２、Ｓ５３）。
【０１００】
所定の観察情報の抽出範囲は、図６に示した検索条件指定・入力画面１８ｅにおけるユーザによる指定・入力項目に応じて、例えば、“データベース内で辿れる最終データまで”、“観察情報取得時点の日時情報の範囲”、“継代数の範囲”のいずれかに定まる。
所定の観察情報の抽出範囲が“データベース内で辿れる最終データまで”に定まるのは、図６に示した検索条件指定・入力画面１８ｅにおいて、日時情報の範囲指定・入力項目１８ｅ−４、継代数の範囲指定・入力項目１８ｅ−５のいずれにもユーザによる指定・入力がない場合である。この場合、抽出部１５は、図１６に示すように、抽出した検索用タグ付き観察情報に備わる第２の培養器材識別情報を検索条件における第１の培養器材識別情報として置き換えた検索条件を用いて、記録部１３を再検索し、該当する検索用タグ付き観察情報を抽出する処理を、第２の培養器材識別情報が記録されていない検索用タグ付き観察情報を抽出するまで繰り返す（ステップＳ５２’、Ｓ５３）。
【０１０１】
また、所定の観察情報の抽出範囲が“観察情報取得時点の日時情報の範囲”に定まるのは、図６に示した検索条件指定・入力画面１８ｅにおいて、日時情報の範囲指定・入力項目１８ｅ−４にユーザによる指定・入力があった場合である。この場合、抽出部１５は、図１７に示すように、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、日時情報の範囲指定・入力項目１８ｅ−４に指定・入力された日時情報の範囲の日時情報を有する全ての検索用タグ付き観察情報を抽出し終えるまで繰り返す。（ステップＳ５２”、Ｓ５３、Ｓ５４）。
【０１０２】
また、所定の観察情報の抽出範囲が“継代数の範囲”に定まるのは、図６に示した検索条件指定・入力画面１８ｅにおいて、継代数の範囲指定・入力項目１８ｅ−５に指定・入力があった場合である。この場合、抽出部１５は、図１８に示すように、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、継代数の範囲指定・入力項目１８ｅ−５に指定・入力された継代数の範囲の継代数を有する全ての検索用タグ付き観察情報を抽出し終えるまで繰り返す（ステップＳ５２”’、Ｓ５３、Ｓ５４’）。
【０１０３】
ここで、ユーザＩＤが“ユーザ１”、細胞名が“ＣＨＯ１”となっている検索用タグ付き観察情報が、図７、図１２に示したデータ構造で記録部１３に保存されている場合において、第１の培養器材識別情報が“Ｐ２−２”を有する第１の培養容器で培養されている細胞から夫々の代における継代元となった細胞の観察情報が時系列で繋がる、複数代に跨る細胞の検索用タグ付き観察情報を抽出する場合について、さらに具体的に説明する。
ユーザは、図６の検索条件指定・入力画面１８ｅにおいて、ユーザＩＤ指定・入力項目１８ｅ−１に“ユーザ１”、 細胞名指定・入力項目１８ｅ−２に“ＣＨＯ１”、 第１の培養器材識別情報指定・入力項目１８ｅ−３に“Ｐ２−２”を指定・入力する。なお、ここでは、説明の便宜上、日時情報の範囲指定・入力項目１８ｅ−４、継代数の範囲指定・入力項目１８ｅ−５のいずれにも指定・入力がない（即ち、上述した所定の観察情報の抽出範囲が“データベース内で辿れる最終データまで”に定まる場合である）ものとする。
【０１０４】
検索条件取得部１４は、ユーザＩＤ“ユーザ１”、 細胞名“ＣＨＯ１”、 第１の培養器材識別情報“Ｐ２−２”を含むタグを検索条件として取得する（ステップＳ１１）。
抽出部１５は、検索条件取得部１４が取得した検索条件（ユーザＩＤ“ユーザ１”、 細胞名“ＣＨＯ１”、 第１の培養器材識別情報“Ｐ２−２”を含むタグ）を用いて記録部１３を検索し、該当する全ての検索用タグ付き観察情報（ここでは、図１９(a)における符号Ｒ７で示す検索用タグ付き観察情報）を抽出する（ステップＳ５１）。
【０１０５】
ここで、符号Ｒ７で示した検索用タグ付き観察情報には、第２の培養器材識別情報として“Ｐ１−１”が記録されている。
そこで、抽出部１５は、符号Ｒ７で示す検索用タグ付き観察情報に備わる第２の培養器材識別情報“Ｐ１−１”を検索条件における第１の培養器材識別情報として置き換えた検索条件を用いて記録部１３を再検索し、該当する全ての検索用タグ付き観察情報（ここでは、図１９(a)における符号Ｒ２、Ｒ４で示す夫々の検索用タグ付き観察情報）を抽出する（ステップＳ５２、Ｓ５３）。
【０１０６】
ここで、符号Ｒ２、Ｒ４で示す検索用タグ付き観察情報には、第２の培養器材識別情報として“Ｐ０−１”が記録されている。
そこで、抽出部１５は、符号Ｒ２で示す検索用タグ付き観察情報に備わる第２の培養器材識別情報“Ｐ０−１”を検索条件における第１の培養器材識別情報として置き換えた検索条件を用いて記録部１３を再検索し、該当する全ての検索用タグ付き観察情報（ここでは、図１９(a)における符号Ｒ１で示す検索用タグ付き観察情報）を抽出する（ステップＳ５２、Ｓ５３）。
【０１０７】
ここで、符号Ｒ１で示す検索用タグ付き観察情報には、第２の培養器材識別情報が記録されていない。
そこで、抽出部１５は、検索用タグ付き観察情報の抽出処理を終了する（ステップＳ５２、Ｓ５３）。
【０１０８】
その結果、抽出部１５により、図１９(a)に示すＲ１〜Ｒ７で示した、同一のユーザＩＤ“ユーザ１”及び細胞名“ＣＨＯ１”が記録されている検索用タグ付き観察情報のうち、☆印をつけて示した次の(1)〜(3)の検索用タグ付き観察情報が関連付けられて抽出されることになる。
(1)第１の培養器材識別情報“Ｐ２−２”が記録されている検索用タグ付き観察情報（Ｒ７）。
(2)検索用タグ付き観察情報（Ｒ７）に記録されている第２の培養器材識別情報“Ｐ１−１”が第１の培養器材識別情報として記録されている、検索用タグ付き観察情報（Ｒ７）の細胞に対する継代元の細胞の検索用タグ付き観察情報（Ｒ２、Ｒ４）。
(3)検索用タグ付き観察情報（Ｒ２、Ｒ４）に記録されている第２の培養器材識別情報“Ｐ０−１”が第１の培養器材識別情報として記録されている、検索用タグ付き観察情報（Ｒ２、Ｒ４）の細胞に対する継代元の細胞の検索用タグ付き観察情報（Ｒ１）。
【０１０９】
このため、ユーザが、例えば、図６に示したような検索条件指定・入力画面１８ｅにおいて、ユーザＩＤや細胞名以外のタグとして、第１の培養器材識別情報を指定・入力するだけで、例えば図１９(b)における二点鎖線で示すように、同一の細胞株から培養され継代された、複数代に跨る細胞の検索用タグ付き観察情報のデータのみを抽出することができることになる。
【０１１０】
第１実施形態の細胞観察情報処理システム１０によれば、タグ取得部１１が細胞名、第１の培養器材識別情報と第２の培養器材識別情報を含むタグを検索用タグとして取得し、保存部１２が検索用タグを付与した検索用タグ付き観察情報を記録部１３に保存するように構成したので、記録部１３に保存されている検索用タグ付き観察情報の検索用タグに備わる第１の培養器材識別情報によって、同一細胞名、同一継代数での培養器材を区別できるとともに、第２の培養器材識別情報によって、継代先の細胞の観察情報と継代元の細胞の観察情報との関連付けを、代を跨いで複数代にわたって行うことが可能になる。そして、検索条件取得部１４が細胞名及び第１の培養器材識別情報を含むタグを検索条件として取得し、抽出部１５が、検索条件取得部１４により取得された検索条件を用いて記録部１３を検索し、同一の細胞株から培養され継代された、複数代に跨る細胞の検索用タグ付き観察情報を抽出するようにしたので、１対多で継代を行うタイプの継代培養であっても、ユーザは、特定系統の細胞の観察情報を、代を跨いで把握することができる。
【０１１１】
また、第１実施形態の細胞観察情報処理システム１０によれば、抽出部１５が、検索条件取得部１４により取得された検索条件を用いて記録部１３を検索し、該当する検索用タグ付き観察情報を抽出した後、さらに、抽出した検索用タグ付き観察情報に備わる第２の培養器材識別情報を検索条件における第１の培養器材識別情報として置き換えた検索条件を用いて記録部１３を再検索し、該当する検索用タグ付き観察情報を抽出する処理を、所定の観察情報の抽出範囲に基づき繰り返すように構成したので、抽出部１５による、同一の細胞株から培養され継代された、複数代に跨る細胞の検索用タグ付き観察情報の抽出が具現化できる。
【０１１２】
そして、第１実施形態の細胞観察情報処理システム１０によれば、所定の観察情報の抽出範囲が、第２の培養器材識別情報が記録されていない検索用タグ付き観察情報を抽出するまでであるように構成したので、データベース内で辿ることのできる最も古い継代元の代まで、複数代に跨る細胞の検索用タグ付き観察情報の抽出が具現化できる。
【０１１３】
また、第１実施形態の細胞観察情報処理システム１０によれば、検索用タグが、さらに、観察情報取得時点の日時情報を含み、所定の観察情報の抽出範囲が、ユーザの操作により指定された観察情報取得時点の日時情報の範囲であるように構成し、あるいは、検索用タグが、さらに、第１の培養器材で培養される細胞の継代数を含み、所定の観察情報の抽出範囲が、ユーザの操作により指定された継代数の範囲であるように構成したので、ユーザが必要とする範囲における、複数代に跨る細胞の検索用タグ付き観察情報の抽出が具現化できる。
【０１１４】
また、第１実施形態の細胞観察情報処理システム１０によれば、第１の培養器材識別情報が、第１の培養器材で培養される細胞の継代数と、第１の培養器材に固有の識別情報を有してなるように構成したので、第２の培養器材識別情報を第２の培養器材で培養される細胞の継代数と、第２の培養器材に固有の識別情報を有してなる構成と相俟って、抽出部１５が一代前の検索用タグ付き観察情報を抽出するために、現在の継代数から１を減算した継代数を、抽出部１５が記録部１３を検索する際の検索条件の一部として別途設定することなく、抽出した当該データに備わる第２の培養器材識別情報の値を検索条件における第１の培養器材識別情報として置き換えるだけで、継代数が一代前の細胞の検索用タグ付き観察情報を抽出することができる。
なお、第１実施形態の細胞観察情報処理システム１０において、第１の培養器材識別情報を、第１の培養器材で培養される細胞の継代数を含まない構成としても勿論よい。
【０１１５】
また、第１実施形態の細胞観察情報処理システム１０によれば、第２の培養器材識別情報が、第２の培養器材で培養される細胞の継代数と、第２の培養器材に固有の識別情報を有してなるように構成したので、抽出部１５が一代前の検索用タグ付き観察情報を抽出するために、現在の継代数から１を減算した継代数を、抽出部１５が記録部１３を検索する際の検索条件の一部として別途設定することなく、抽出した当該データに備わる第２の培養器材識別情報に含まれる継代数の値を、検索条件の一部として設定できる。そして、抽出した当該データに備わる第２の培養器材識別情報に含まれる第２の培養器材に固有の識別情報の値を検索条件における第１の培養器材識別情報として置き換えることにより、継代数が一代前の細胞の検索用タグ付き観察情報を抽出することができる。
なお、第１実施形態の細胞観察情報処理システム１０において、第２の培養器材識別情報を、第２の培養器材で培養される細胞の継代数を含まない構成としても勿論よい。
【０１１６】
また、第１実施形態の細胞観察情報処理システム１０によれば、検索用タグが、さらに、第１の培養器材で培養される細胞の継代数を含み、タグ取得部１１が、ユーザの操作により指定された細胞名を用いて記録部を検索し、該当する検索用タグ付き観察情報から、第１の培養器材で培養される細胞の継代数が最も大きい検索用タグ付き観察情報を抽出し、抽出した検索用タグ付き観察情報に備わる第１の培養器材識別情報を、検索用タグの一部として取得すべき第１の培養器材識別情報の候補として提示部１８に一覧出力し、提示部１８に一覧出力した第１の培養器材識別情報の候補のうち、ユーザの操作により選択された第１の培養器材識別情報を、検索用タグの一部として取得するとともに、当該ユーザの操作により選択された第１の培養器材識別情報を備えた検索用タグ付き観察情報に備わる第２の培養器材識別情報を、検索用タグの一部として自動的に取得するように構成したので、ユーザが第１の培養器材識別情報、第２の培養器材識別情報をキー入力する手間が省けるとともに、キーの打ち間違いを無くすことができる。その結果、検索用タグ取得の効率が向上し、細胞の状態チェックの時間を短縮化できる。特に、細胞をインキュベータの外部に持ち出した状態で細胞の状態変化をチェックする場合、細胞の状態チェックの時間が短縮されることによって、細胞に与えるダメージを低減できる。
【０１１７】
また、第１実施形態の細胞観察情報処理システム１０によれば、タグ取得部１１が、ユーザの操作により指定された第１の培養器材識別情報を、検索用タグの一部として取得するとともに、ユーザの操作により指定された細胞名及び第１の培養器材識別情報を用いて記録部１３を検索し、該当する検索用タグ付き観察情報が存在するとき、当該検索用タグ付き観察情報に備わる第２の培養器材識別情報を、検索用タグの一部として自動的に取得するように構成したので、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。
【０１１８】
また、第１実施形態の細胞観察情報処理システム１０によれば、検索用タグが、さらに、第１の細胞に対する作業が継代作業であるか否かを表す継代有無情報及び観察情報取得時点の日時情報を含み、タグ取得部１１が、ユーザの操作により検索用タグの一部として取得すべき第１の培養器材識別情報として新規の培養器材識別情報が指定されたとき、ユーザの操作により指定された第１の培養器材識別情報を、検索用タグの一部として取得するとともに、ユーザの操作により指定された細胞名を用いて記録部１３を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出し、抽出した検索用タグ付き観察情報に備わる第１の培養器材識別情報を、検索用タグの一部として取得すべき第２の培養器材識別情報の候補として提示部１８に一覧出力し、提示部１８に一覧出力した第２の培養器材識別情報の候補のうち、ユーザの操作により選択された第２の培養器材識別情報を、検索用タグの一部として取得するように構成したので、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。
【０１１９】
また、第１実施形態の細胞観察情報処理システム１０によれば、検索用タグが、さらに、第１の培養器材で培養される細胞に対する作業が継代作業であるか否かを表す継代有無情報及び観察情報取得時点の日時情報を含み、タグ取得部１１が、ユーザの操作により指定された第１の培養器材識別情報を、検索用タグの一部として取得するとともに、ユーザの操作により指定された細胞名及び第１の培養器材識別情報を用いて記録部１３を検索し、該当する検索用タグ付き観察情報が存在しないとき、さらに、ユーザの操作により指定された細胞名を用いて記録部１３を検索し、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出し、抽出した検索用タグ付き観察情報に備わる第１の培養器材識別情報を、検索用タグの一部として取得すべき第２の培養器材識別情報の候補として提示部１８に一覧出力し、提示部１８に一覧出力した第２の培養器材識別情報の候補のうち、ユーザの操作により選択された第２の培養器材識別情報を、検索用タグの一部として取得するように構成したので、ユーザが第２の培養器材識別情報をキー入力する手間が省けるとともに、キーの打ち間違いを無くすことができる。また、第２の培養器材識別情報をキー入力する手間が省ける分、検索用タグ取得の効率が向上し、細胞の状態チェックの時間を短縮化できる。
【０１２０】
第２実施形態
図２０は本発明の第２実施形態にかかる細胞観察情報処理システムの構成を示す説明図である。図２１は細胞観察情報処理システムにおいて記録部に保存されるタグの取得履歴に関する情報のデータ構造の一例を示す説明図である。
第２実施形態の細胞観察情報処理システム１０では、保存部１２は、図５に示したような検索用タグ付き観察情報を第１の記録部１３−１に保存するとともに、タグ取得部１１により検索用タグとして取得されたタグの取得履歴に関する情報を、例えば、ユーザＩＤ等と関連付けて、第１の記録部１３−１とは別のファイルである第２の記録部１３−２に保存するように構成されている。記録部は、第１の記録部１３−１と第２の記録部１３−２を備えている。第１の記録部１３−１は、データベースファイルで構成されている。第２の記録部１３−２は、例えば、システムのログファイル等で構成されている。
【０１２１】
タグの取得履歴に関する情報は、例えば、図２１に示すように、タグ取得部１１が取得した細胞名、最新の観察情報取得日、第１の培養器材識別情報、第２の培養器材識別情報を有して構成されている。
そして、第２の記録部１３−２には、同一のユーザＩＤ、細胞名、第１の培養器材識別情報、第２の培養器材識別情報に対応させた最新の観察情報取得日、継代数、継代有無情報が、検索用タグ付き観察情報を第１の記録部１３−１に保存する時点で、随時更新された最新のタグの取得履歴に関する情報として保存されている。
【０１２２】
タグ取得部１１は、検索用タグ指定・入力画面１８ｄにおいて、ユーザによりタグ選択部１６やタグ入力部２１を介して指定・入力されたユーザＩＤ、細胞名を用いて第２の記録部１３−２を検索し、該当するタグの取得履歴に関する情報から、第１の培養器材で培養される細胞の継代数が最も大きいタグの取得履歴に関する情報を抽出する。次いで、タグ取得部１１は、抽出したタグの取得履歴に関する情報に備わる第１の培養器材識別情報を、検索用タグの一部として取得すべき第１の培養器材識別情報の候補として、出力部１９を介して提示部１８に一覧出力させるように構成されている。
【０１２３】
また、タグ取得部１１は、ユーザによりタグ選択部１６を介して表示画面１８ｄ−３１からいずれかの第１の培養器材識別情報の候補のバーが選択された場合、ユーザにより選択された第１の培養器材識別情報を備えたタグの取得履歴に関する情報に備わる第２の培養器材識別情報を、検索用タグの一部として自動的に取得するように構成されている。
【０１２４】
また、ユーザによりタグ選択部１６を介して新規登録のバーが選択された場合、提示部１８は、第１の培養器材識別情報指定・入力項目１８ｄ−３からのユーザによるタグ選択部１６やタグ入力部２１を介した第１の培養器材の指定・入力を受け付けるように構成されている。
そして、タグ取得部１１は、ユーザによりタグ選択部１６やタグ入力部２１を介して指定・入力されたユーザＩＤ、細胞名を用いて第２の記録部１３−２を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出する。次いで、タグ取得部１１は、抽出したタグの取得履歴に関する情報に備わる第１の培養器材識別情報を、検索用タグの一部として取得すべき第２の培養器材識別情報の候補として、出力部１９を介して提示部１８に一覧出力させるように構成されている。
【０１２５】
なお、検出用タグとしての第１の培養器材識別情報を取得する際に、出力部１９を介して出力された第１の培養器材識別情報の候補の一覧を、新規登録のバーとともにプルダウンメニュー形式で表示画面１８ｄ−３１に表示し、第１の培養器材識別情報の候補の一覧からいずれかの第１の培養器材識別情報のバーあるいは、新規登録のバーをユーザに選択させるように構成したが、第１の培養器材識別情報指定・入力項目１８ｄ−３から直接的にユーザに第１の培養器材識別情報を指定・入力させるように構成されていてもよい。
この場合、タグ取得部１１は、ユーザにより指定・入力された第１の培養器材識別情報を、検索用タグの一部として取得するとともに、ユーザにより指定・入力されたユーザＩＤ、細胞名、第１の培養器材識別情報を用いて第２の記録部１３−２を検索するように構成される。
そして、該当するタグの取得履歴に関する情報が存在する場合、タグ取得部１１は、当該タグの取得履歴に関する情報に備わる第２の培養器材識別情報を、検索用タグにおける第２の培養器材識別情報として自動的に取得するように構成される。
【０１２６】
一方、該当する検索用タグ付き観察情報が存在しないとき、タグ取得部１１は、さらに、ユーザにより指定・入力されたユーザＩＤ、細胞名を用いて第２の記録部１３−２を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出する。次いで、タグ取得部１１は、抽出したタグの取得履歴に関する情報に備わる第１の培養器材識別情報を、検索用タグの一部として取得すべき第２の培養器材識別情報の候補として、出力部１９を介して提示部１８の表示画面１８ｄ−４１に一覧出力させるように構成される。
ユーザによりタグ選択部１６を介して表示画面１８ｄ−４１からいずれかの第２の培養器材識別情報のバーが選択された場合、あるいは、その他の第２の培養器材を指定するためのバーが選択された場合におけるタグ取得部１１、提示部１８の構成は、上述したとおりである。
【０１２７】
抽出部１５は、検索条件取得部１４により取得された検索条件を用いて第２の記録部１３−２を検索し、該当するタグの取得履歴に関する情報を抽出した後、さらに、抽出したタグの取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、所定の取得履歴に関する情報の抽出範囲に基づき繰り返す。次いで、抽出部１５は、所定の取得履歴に関する情報の抽出範囲に基づくタグの取得履歴に関する情報の抽出に用いた全ての検索条件を用いて第１の記録部１３−１を順次検索し、該当する検索用タグ付き観察情報を抽出するように構成されている。
【０１２８】
所定の取得履歴に関する情報の抽出範囲は、例えば、検索条件指定・入力画面１８ｅにおける、日時情報の範囲指定・入力項目１８ｅ−４、継代数の範囲指定・入力項目１８ｅ−５の入力内容に応じて、次のように定まるように構成されている。
例えば、図６の検索条件指定・入力画面１８ｅにおいて、日時情報の範囲指定・入力項目１８ｅ−４、継代数の範囲指定・入力項目１８ｅ−５のいずれにも指定・入力がない場合、所定の取得履歴に関する情報の抽出範囲は、“タグの取得履歴に関する情報ファイルのデータベース内で辿れる最終データまで”、即ち、“第２の培養器材識別情報が記録されていないタグの取得履歴に関する情報を抽出するまで”に定まる。
そして、抽出部１５は、抽出したタグの取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、第２の培養器材識別情報を備えていないタグの取得履歴に関する情報を抽出するまで繰り返す。
【０１２９】
また、例えば、図６の検索条件指定・入力画面１８ｅにおいて、日時情報の範囲指定・入力項目１８ｅ−４に指定・入力がある場合、所定の取得履歴に関する情報の抽出範囲は、“日時情報の範囲指定・入力項目１８ｅ−４に指定・入力された日時情報の範囲”に定まる。
そして、抽出部１５は、抽出した取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、日時情報の範囲指定・入力項目１８ｅ−４に指定・入力された日時情報の範囲の日時情報を有する全てのタグの取得履歴に関する情報を抽出し終えるまで繰り返す。
【０１３０】
また、例えば、図６の検索条件指定・入力画面１８ｅにおいて、継代数の範囲指定・入力項目１８ｅ−５に指定・入力がある場合、所定の取得履歴に関する情報の抽出範囲は、“継代数の範囲指定・入力項目１８ｅ−５に指定・入力された継代数の範囲”に定まる。
そして、抽出部１５は、抽出した取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、継代数の範囲指定・入力項目１８ｅ−５に指定・入力された継代数の範囲の継代数を有する全てのタグの取得履歴に関する情報を抽出し終えるまで繰り返す。
【０１３１】
その他の構成は、第１実施形態の細胞観察情報処理システム１０と略同じである。
【０１３２】
このように構成された第２実施形態の細胞観察情報処理システムでは、培養している細胞の観察情報を記録部に保存する段階での検索用タグの取得処理（図８のステップＳ３）における要部のタグを取得するための具体的な処理手順が、第１実施形態の細胞観察情報処理システムとは異なる。以下、その異なる処理手順を図２２、図２３を用いて説明する。
【０１３３】
図２２は図２０の細胞観察情報処理システムを用いた、細胞の観察情報を保存する段階での処理手順での検索用タグの取得処理における要部のタグの取得手順を具体化した処理手順の一例を示すフローチャート、図２３は図２２の処理手順の変形例を示すフローチャートである。
まず、図２２の例の処理手順を説明する。
ユーザＩＤ、細胞名の指定・入力（ステップＳ６１）、タグ取得部１１によるユーザＩＤ、細胞名の検索用タグの一部としての取得（ステップＳ６２）の処理手順は、第１実施形態の図１０の例における処理手順と略同じである。
次いで、タグ取得部１１は、ユーザによりタグ指定・入力されたユーザＩＤ、細胞名を用いて第２の記録部１３−２を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出する（ステップＳ６３）。次いで、タグ取得部１１は、抽出したタグの取得履歴に関する情報に備わる第１の培養器材識別情報を、検索用タグの一部として取得すべき第２の培養器材識別情報の候補として、出力部１９を介して提示部１８に一覧出力させる。提示部１８は、出力部１９を介して出力された第１の培養器材識別情報の候補の一覧を、新規登録のバーとともにプルダウンメニュー形式の表示画面１８ｄ−３１に表示する。（ステップＳ６４）。
次いで、ユーザは、表示画面１８ｄ−３１に表示された第１の培養器材識別情報の候補の一覧、新規登録のバーのうちから所望のバーを選択する（ステップＳ６５）。
【０１３４】
ここで、ユーザによりいずれかの第１の培養器材識別情報の候補のバーが選択された場合、タグ取得部１１は、ユーザにより選択された第１の培養器材識別情報を、検索用タグの一部として取得する（ステップＳ６６、Ｓ６７）。次いで、タグ取得部１１は、ユーザにより選択された第１の培養器材識別情報を備えたタグの取得履歴に関する情報に備わる第２の培養器材識別情報を、検索用タグの一部として自動的に取得する（ステップＳ６８）。
【０１３５】
一方、ユーザにより新規登録のバーが選択された場合の、提示部１８の第１の培養器材識別情報指定・入力項目１８ｄ−３によるユーザからの第１の培養器材識別情報の指定・入力の受け付け、ユーザによる第１の培養器材識別情報を指定・入力（ステップＳ６６、Ｓ６９）、タグ取得部１１による第１の培養器材識別情報の検索用タグの一部としての取得（ステップＳ７０）の処理手順は、第１実施形態の図１０の例における処理手順と略同じである。
次いで、タグ取得部１１は、ユーザにより指定・入力されたユーザＩＤ、細胞名を用いて第２の記録部１３−２を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出する（ステップＳ７１）。次いで、タグ取得部１１は、抽出したタグの取得履歴に関する情報に備わる第１の培養器材識別情報を、検索用タグの一部として取得すべき第２の培養器材識別情報の候補として、出力部１９を介して提示部１８に一覧出力させる。提示部１８は、出力部１９を介して出力された第２の培養器材識別情報の候補の一覧を、その他の第２の培養器材識別情報を指定するためのバーとともにプルダウンメニュー形式の表示画面１８ｄ−４１に表示する（ステップＳ７２）。
それに続く、ユーザによる所望のバーの選択（ステップＳ７３）以降の処理手順は、第１実施形態における図１０の例における処理手順と略同じである。
【０１３６】
次に、図２３に示す変形例の処理手順を説明する。
ユーザによるユーザＩＤ、細胞名の指定・入力（ステップＳ６１’）〜タグ取得部１１による第１の培養器材識別情報の検索用タグの一部としての取得（ステップＳ６４’）の処理手順は、第１実施形態の図１１の例における処理手順と略同じである。
次いで、タグ取得部１１は、ユーザにより指定・入力されたユーザＩＤ、細胞名、第１の培養器材識別情報を用いて第２の記録部１３−２を検索する（ステップＳ６５’）。
【０１３７】
ここで、該当する検索用タグ付き観察情報が存在する場合、タグ取得部１１は、当該タグの取得履歴に関する情報に備わる第２の培養器材識別情報を、検索用タグの一部として自動的に取得する（ステップＳ６６’、Ｓ６７’）。
【０１３８】
一方、該当する検索用タグ付き観察情報が存在しない場合、タグ取得部１１は、さらに、ユーザにより指定・入力されたユーザＩＤ、細胞名を用いて第２の記録部１３−２を検索し、該当するタグの取得履歴に関する情報から、継代有無情報が継代作業であることを表すタグの取得履歴に関する情報であり且つ当該タグの取得履歴に関する情報のうちで日時情報における観察情報取得時点が直近のタグの取得履歴に関する情報を抽出する（ステップＳ６６’、Ｓ６８’）。次いで、タグ取得部１１は、抽出した第１の培養器材識別情報を備えたタグの取得履歴に関する情報に備わる第１の培養器材識別情報を、検索用タグの一部として取得すべき第２の培養器材識別情報の候補として、出力部１９を介して提示部１８に一覧出力させる。提示部１８は、出力部１９を介して出力された第２の培養器材識別情報の候補の一覧を、その他の第２の培養器材を指定するためのバーとともにプルダウンメニュー形式の表示画面１８ｄ−４１に表示する（ステップＳ６９’）。
これに続く、ユーザによる所望のバーの選択（ステップＳ７０’）以降の処理手順は、第１実施形態の図１１の例における処理手順と略同じである。
【０１３９】
また、第２実施形態の細胞観察情報処理システムでは、記録部から所望の細胞の観察情報を検索・抽出して細胞の状態をチェックする段階での検索用タグ付き観察情報の抽出処理（図１３のステップＳ１２）における処理手順が、第１実施形態の細胞観察情報処理システムとは異なる。以下、その異なる処理手順を図２４〜図２７を用いて説明する。
図２４は図２０の細胞観察情報処理システムを用いた、記録部から所望の細胞の観察情報を検索・抽出する段階での、抽出部による同一の細胞株から培養され継代された、複数代に跨る細胞の検索用タグ付き観察情報の抽出処理の処理手順の一例を示すフローチャートである。
検索用タグ付き観察情報の取得処理において、抽出部１５は、検索条件取得部１４により取得された検索条件（ユーザＩＤ、細胞名、第１の培養器材識別情報を含むタグ）を用いて、第２の記録部１３−２を検索し、該当するタグの取得履歴に関する情報を抽出する（ステップＳ８１、Ｓ８２）。さらに、抽出部１５は、抽出したタグの取得履歴に関する情報に備わる第２の培養器材識別情報を当該検索条件における第１の培養器材識別情報として置き換えた検索条件を新たに作成し、作成した検索条件を用いて、第２の記録部１３−２を検索し、該当するタグの取得履歴に関する情報を抽出する処理を所定の取得履歴に関する情報の抽出範囲に基づいて繰り返す（ステップＳ８３〜Ｓ８６）。
【０１４０】
所定の取得履歴に関する情報の抽出範囲は、図６に示した検索条件指定・入力画面１８ｅにおけるユーザによる指定・入力項目に応じて、例えば、“タグの取得履歴に関する情報ファイルのデータベース内で辿れる最終データまで”、“観察情報取得時点の日時情報の範囲”、“継代数の範囲”のいずれかに定まる。
所定の取得履歴に関する情報の抽出範囲が“タグの取得履歴に関する情報ファイルのデータベース内で辿れる最終データまで”に定まるのは、図６に示した検索条件指定・入力画面１８ｅにおいて、日時情報の範囲指定・入力項目１８ｅ−４、継代数の範囲指定・入力項目１８ｅ−５のいずれにもユーザによる指定・入力がない場合である。この場合、抽出部１５は、図２５に示すように、抽出したタグの取得履歴に関する情報に備わる第２の培養器材識別情報を当該検索条件における第１の培養器材識別情報として置き換えた検索条件を新たに作成し、作成した検索条件を用いて、第２の記録部１３−２を検索し、該当するタグの取得履歴に関する情報を抽出する処理を、第２の培養器材識別情報が記録されていないタグの取得履歴に関する情報を抽出するまで繰り返す（ステップＳ８３’〜Ｓ８６）。
【０１４１】
また、所定の取得履歴に関する情報の抽出範囲が“観察情報取得時点の日時情報の範囲”に定まるのは、図６に示した検索条件指定・入力画面１８ｅにおいて、日時情報の範囲指定・入力項目１８ｅ−４にユーザによる指定・入力があった場合である。この場合、抽出部１５は、図２６に示すように、抽出したタグの取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、日時情報の範囲指定・入力項目１８ｅ−４に指定・入力された日時情報の範囲の日時情報を有する全てのタグの取得履歴に関する情報を抽出し終えるまで繰り返す。（ステップＳ８３”〜Ｓ８６）。
【０１４２】
また、所定の取得履歴に関する情報の抽出範囲が“継代数の範囲”に定まるのは、図６に示した検索条件指定・入力画面１８ｅにおいて、継代数の範囲指定・入力項目１８ｅ−５に指定・入力があった場合である。この場合、抽出部１５は、図２７に示すように、抽出したタグの取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、継代数の範囲指定・入力項目１８ｅ−５に指定・入力された継代数の範囲の継代数を有する全てのタグの取得履歴に関する情報を抽出し終えるまで繰り返す（ステップＳ８３”’〜Ｓ８６）。
【０１４３】
次いで、抽出部１５は、所定の取得履歴に関する情報の抽出範囲に基づくタグの取得履歴に関する情報の抽出に用いた全ての検索条件を用いて第１の記録部１３−１を順次検索し、該当する検索用タグ付き観察情報を抽出する（図２４の例のステップＳ８７、図２５の例のステップＳ８７’、図２６の例のステップＳ８７”、図２８の例のステップＳ８７”’）。
【０１４４】
その他の処理手順は、第１実施形態の細胞観察情報処理システム１０と略同じである。
【０１４５】
第２実施形態の細胞観察情報処理システム１０によれば、保存部１２がタグ取得部１１により検索用タグとして取得された細胞名、第１の培養器材識別情報及び第２の培養器材識別情報を含む細胞識別情報を含むタグを、タグの取得履歴に関する情報として、検索用タグ付き観察情報を保存するためのファイルとは別のファイルに保存するようにしたので、タグ取得部１１による検索用タグ取得処理や抽出部１５による検索用タグ付き観察情報抽出処理等の処理過程において、検索・抽出対象を、細胞画像といったバイト数の大きなデータを含まないタグの取得履歴に関する情報を保存したファイルとすることができ、検索・抽出処理の効率を向上させることが可能となる。
【０１４６】
例えば、第２実施形態の細胞観察情報処理システム１０によれば、抽出部１５が、検索条件取得部１４により取得された検索条件を用いて第２の記録部１３−２を検索し、該当するタグの取得履歴に関する情報を抽出した後、さらに、抽出したタグの取得履歴に関する情報に備わる第２の培養器材識別情報を当該検索条件における第１の培養器材識別情報として置き換えた検索条件を新たに作成し、作成した検索条件を用いて第２の記録部１３−２を再検索し、該当するタグの取得履歴に関する情報を抽出する処理を、所定の取得履歴に関する情報の抽出範囲に基づき繰り返し、次いで、所定の取得履歴に関する情報の抽出範囲に基づくタグの取得履歴に関する情報の抽出に用いた全ての検索条件を用いて第１の記録部１３−１を順次検索し、該当する検索用タグ付き観察情報を抽出するように構成したので、抽出部１５による、同一の細胞株から培養され継代された、複数代に跨る細胞の検索用タグ付き観察情報の抽出が具現化できることに加えて、抽出部１５による検索用タグ付き観察情報抽出処理の処理過程における検索・抽出処理の効率が向上する。
【０１４７】
その他の作用効果は、第１実施形態の細胞観察情報処理システム１０と略同じである。
【０１４８】
第３実施形態
図２８は本発明の第３実施形態にかかる細胞観察情報処理システムにおいて記録部に保存される第１の培養器材識別情報、第２の培養器材識別情報のデータ構造の一例を示す説明図で、(a)は検索用タグ付き観察情報における第１の培養器材識別情報、第２の培養器材識別情報のデータ構造の一例を示す図、(b)はタグの取得履歴に関する情報における第１の培養器材識別情報、第２の培養器材識別情報のデータ構造の一例を示す図である。
第３実施形態の細胞観察情報処理システム１０では、第１の培養器材識別情報は、例えば、図２８(a)に示すように、第２の培養器材識別情報を含んで構成されている。
図２８(a)に示す検索用タグ付き観察情報ファイルに保存されている各データにおける第１の培養器材識別情報は、右一桁の数値が、第１の培養器材に固有の識別情報（例えば、培養容器に固有の番号等）、残りの桁の数値が第２の培養器材識別情報となっている。
より詳しくは、例えば、図２８(a)に示す検索用タグ付き観察情報ファイルに保存されている符号Ｒ７で示すデータ中の第１の培養器材識別情報“１−１−２”のうち、符号α１で示す右一桁の数値“２”が第１の培養器材に固有の識別情報、符号α２で示す二桁の数値“１１”が第２の培養器材識別情報となっている。
そして、符号α２で示す二桁の数値“１１”は、符号Ｒ４，Ｒ２で示す継代数が一代前のデータにおける第１の培養器材識別情報を示す値と一致している。また、符号α２で示す二桁の数値“１１”のうち、右一桁の数値“１”が符号Ｒ４，Ｒ２で示す継代数が一代前のデータにおける第１の培養器材に固有の識別情報、左一桁の数値“１”が符号Ｒ１で示す継代数が二代前のデータにおける第１の培養器材識別情報を示す値と夫々一致している。
また、第３実施形態の細胞観察情報処理システム１０では、第１の培養器材識別情報は、第１実施形態や第２実施形態の細胞観察情報処理システム１０における第１の培養器材識別情報や第２の培養器材識別情報とは異なり、データ中に継代数の情報を含まない構成となっている。
【０１４９】
なお、第１の培養器材識別情報と第２の培養器材識別情報を一体化する構成は、上述した第２実施形態の細胞観察情報処理システム１０のような検索用タグ付き観察情報を第１の記録部１３−１に保存するとともに、タグの取得履歴に関する情報を第２の記録部１３−２に保存するような構成に対しても適用可能である。その場合は、タグの取得履歴に関する情報における第１の培養器材識別情報については、例えば、図２８(b)に示すように構成する。
【０１５０】
抽出部１５は、検索条件取得部１４により取得された検索条件を用いて記録部１３を検索し、該当する検索用タグ付き観察情報を抽出した後、さらに、検索条件における第１の培養器材識別情報に含まれる夫々の代における第２の培養器材識別情報を夫々検索条件における第１の培養器材識別情報として置き換えた検索条件を用いて記録部１３を順次検索し、該当する検索用タグ付き観察情報を抽出するように構成されている。
【０１５１】
その他の構成は、第１実施形態の細胞観察情報処理システムと略同じである。
【０１５２】
このように構成された第３実施形態の細胞観察情報処理システム１０では、記録部から所望の細胞の観察情報を検索・抽出して細胞の状態をチェックする段階での検索用タグ付き観察情報の抽出処理（図１３のステップＳ１２）における処理手順が、第１実施形態の細胞観察情報処理システム１０とは異なる。以下、その異なる処理手順を、図２９を用いて説明する。
図２９は図２８の細胞観察情報処理システムを用いた、記録部から所望の細胞の観察情報を検索・抽出する段階での、抽出部による同一の細胞株から培養され継代された、複数代に跨る細胞の検索用タグ付き観察情報の抽出処理の処理手順の一例を示すフローチャートである。
検索用タグ付き観察情報の取得処理において、抽出部１５は、検索条件取得部１４により取得された検索条件（ユーザＩＤ、細胞名、第１の培養器材識別情報を含むタグ）を用いて、記録部１３を検索し、該当する検索用タグ付き観察情報を抽出する（ステップＳ９１）。さらに、抽出部１５は、検索条件における第１の培養器材識別情報に含まれる夫々の代における第２の培養器材識別情報を夫々検索条件における第１の培養器材識別情報として置き換えた検索条件を用いて記録部１３を順次検索し、該当する検索用タグ付き観察情報を抽出する（ステップＳ９２）。
【０１５３】
その他の処理手順は、第１実施形態の細胞観察情報処理システム１０と略同じである。
【０１５４】
第３実施形態の細胞観察情報処理システム１０によれば、第１の培養器材識別情報と第２の培養器材識別情報を一体化して構成したので、第１の培養器材識別情報のデータから、当該継代数の代から時系列的に遡って繋がった全ての代の細胞における第１の培養器材識別情報、第２の培養器材識別情報を特定することが可能となる。このため、抽出部１５は、検索条件を用いて記録部１３を検索し、該当する検索用タグ付き観察情報を抽出する処理を行う都度、抽出した検索用タグ付き観察情報に備わる第２の培養器材識別情報を取得するような処理を行うことなく、検索条件取得部１４によって取得されたときの検索条件に備わる第１の培養器材識別情報のデータ内で特定されている各代における第２の培養器材識別情報を、検索条件における第１の培養器材識別情報に置き換えた検索条件を用いて、記録部１３を連続的に検索し、該当する検索用タグ付き観察情報を抽出することができる。また、抽出部１５が記録部１３から代を遡って検索用タグ付き観察情報を抽出するための検索条件としては、継代数の情報が不要となる。その結果、同一の細胞株から培養され継代された、複数代に跨る細胞の観察情報の抽出処理の効率が格段に向上する。
【０１５５】
その他の作用効果は、第１実施形態の細胞観察情報処理システム１０と略同じである。
【０１５６】
なお、本発明の各実施形態の細胞観察情報処理システムにおいては、さらに、好ましくは、観察情報あるいはタグの取得履歴に関する情報が保存された記録部のデータベースをもとに、例えば、ユーザＩＤ、細胞名、継代数、第１の培養器材識別情報及び第２の培養器材識別情報が一致する観察情報の群を単位とする、細胞を培養する容器単位の系統図を提示部１８に表示するように構成するのがよい。
【０１５７】
図３０は記録部に保存されたタグ付き観察情報を用いて、ユーザＩＤ、細胞名、継代数、第１の培養器材識別情報、第２の培養器材識別情報が同一の観察情報の群を一つの容器単位とする、細胞を培養する容器の系統図の一例を模式的に示す説明図である。
【０１５８】
図３０に示す容器単位の系統図を提示部１８に表示させる構成を適用した本発明の各実施形態の細胞観察情報処理システムでは、例えば、継代作業後に初めて細胞を観察して観察情報を取得し、新規の容器（培養器材）を追加する処理を行う際には、例えば、図３０(a)のような系統図が表示されている場合において、ユーザが図示しない新規容器追加ボタンを押したときに、タグ取得部１１が、同一のユーザＩＤ、細胞名を用いて検索用タグ付き観察情報を検索する。次いで、タグ取得部１１が、該当する検索用タグ付き観察情報から、継代有無情報が継代作業であることを表す検索用タグ付き観察情報であり且つ当該検索用タグ付き観察情報のうちで日時情報における観察情報取得時点が直近の検索用タグ付き観察情報を抽出する。次いで、タグ取得部１１が、抽出した検索用タグ付き観察情報に記録されているユーザＩＤ、細胞名、継代数、第１の培養器材識別情報及び第２の培養器材識別情報と一致する容器を継代元の候補として、例えば図３０(b)に示す容器Ｘを、提示部１８に強調して表示させるように構成する。
【０１５９】
ここで、ユーザが、図示しない選択手段を用いて、継代元の細胞の容器として、図３０(b)に示す容器Ｘを選択すると、タグ取得部１１が、図３０(c)に示すように、当該継代元の容器Ｘに繋がった継代先の新規の容器Ｙを、提示部１８に追加表示させる。また、これと同時に、タグ取得部１１が、追加表示した容器Ｙに関連付けられた情報（ユーザＩＤ、細胞名、継代数、第１の培養器材識別情報、第２の培養器材識別情報のタグを一括して取得し、提示部１８に表示させるように構成する。
【０１６０】
また、観察情報に検索用タグを付与して保存する際には、図３０(c)に示す系統図上で、ユーザが、図示しない選択手段を用いて当該追加表示された新規の容器Ｙを選択すると、保存部１２が、当該容器に関連付けたタグを一括して付与するように構成する。
【０１６１】
細胞を培養する容器単位の系統図を提示部１８に表示するように構成すれば、第２の培養器材識別情報の設定を明示的に行うことができるため、ユーザによる設定ミスを減らすことができる。
また、明示的に容器に関連付けたタグを一括して付与することができるため、観察情報に付与すべき検索用タグを個々に設定する構成に比べて、ユーザによるタグ設定のミスを減らすことができる。
【０１６２】
以上、本発明の細胞情報処理システムの実施形態を説明したが、細胞情報処理システムは、例えば、装置本体１に設けられたコンピュータを、１時点での取得指示に対応して取得された、細胞画像及び細胞の活性度を示す活性度データを含む観察情報を検索するための検索用タグとして、細胞名、観察対象となっている細胞を培養する培養器材である第１の培養器材を継代数が同一の細胞を培養する他の培養器材と区別するための第１の培養器材識別情報及び第１の培養器材で培養される細胞に対する継代元の細胞を培養する培養器材である第２の培養器材を特定するための第２の培養器材識別情報を含む細胞識別情報を含むタグを取得するタグ取得手段、各時点での取得指示に対応して取得された夫々の観察情報に対して、タグ取得手段が取得した検索用タグを付与し、該検索用タグを付与した検索用タグ付き観察情報を記録部に保存する保存手段、第１の細胞の細胞名及び第１の培養器材識別情報を含むタグを検索条件として取得する検索条件取得手段、検索条件取得手段が取得した検索条件を用いて記録部を検索し、同一の細胞株から培養され継代された、複数代に跨る細胞の検索用タグ付き観察情報を抽出する抽出手段、として機能させるための細胞観察情報処理プログラムで構成してもよい。
【０１６３】
また、本発明の実施形態の細胞情報処理システムは、細胞観察情報処理プログラムを装置本体１に設けられたコンピュータに備える構成の他にも、例えば、装置本体１に設けられたコンピュータで読み取り可能な記録媒体に記録した構成であってもよい。
【０１６４】
また、本発明の実施形態の細胞観察情報処理システムは、図１に示したように、タグ取得部１１と、保存部１２と、検索条件取得部１４と、抽出部１５とを、一つの装置本体１に備える構成に限定されるものではなく、タグ取得部、保存部、検索条件取得部および抽出部を、複数の装置に分散して設ける構成としてもよい。また、本発明の他の実施形態の細胞観察情報処理システムは、記録部１３を、タグ取得部１１、保存部１２、検索条件取得部１４および抽出部１５とともに備えて構成してもよい。
【０１６５】
また、上記実施形態では、ユーザの手入力によりタグの取得及び付与を行う構成、即ち、画面等の提示部においてユーザによる手入力を受付け、タグ取得部は、提示部により受け付けたタグを取得し、その取得したタグを画像等の観察情報に付与する構成となっているが、タグ取得及び付与する構成は、次に挙げる変形例のような構成であってもよい。
変形例１：装置が自動的にタグの取得及び付与を行う構成
タグ取得部は、装置内に予め内容が指定されたタグを保存しておき、タグの付与時に、装置内に保存されたタグを取得し付与するように構成してもよい。例えば、装置に対してユーザが固定されている場合、そのユーザのユーザＩＤを予め装置内に保存する。
変形例１によれば、装置が自動的にタグを取得し付与するため、ユーザによるタグの入力負担が減る。
変形例２：ユーザのその他の入力態様によりタグの取得及び付与を行う構成
タグ取得部は、ユーザによる音声入力、視線入力やジェスチャー入力などによってタグを取得し付与するように構成してもよい。
例えば、音声入力の場合、タグ取得部は、特開２０１２−２５２１８１号公報に開示されているような音声解析技術を用いて、ユーザにより音声入力されたタグの音声情報をタグの文字列情報に変換し、そのタグの文字列情報を画像等の観察情報に付与するように構成してもよい。
また、例えば、視線入力の場合、ユーザの視線が動く方向とその方向に対する文字とを対応付けた対応付け情報を装置内に記憶しておき、タグ取得部は、ユーザの視線の方向を視線検出センサなどの視線検出部で検出し、その検出したユーザの視線の方向と対応付け情報とをもとに、その方向に対応付けられた文字をタグとして取得するように構成してもよい。
さらに、例えば、ジェスチャー入力の場合、ユーザの手、足や体幹等の体の部位が動く方向とその方向に対する文字とを対応付けた対応付け情報を装置内に記憶しておき、タグ取得部は、ユーザの体の部位の動作方向をジェスチャー検出センサなどのジェスチャー検出部で検出し、その検出したユーザの体の部位の動作方向と対応付け情報とをもとに、その方向に対応付けられた文字をタグとして取得するように構成してもよい。
なお、本変形例では、ユーザのその他の入力態様として、音声入力や視線入力等のユーザ入力態様を挙げたが、ユーザの入力態様は、これらに限られるものではなく、例えば、脳波による入力等によってタグの取得及び付与を行うように構成することも可能である。
【０１６６】
以上、本発明の実施形態およびその変形例について説明したが、本発明は、各実施形態およびその変形例に記載のとおりの構成に限定されるものではなく、実施段階では、発明の要旨を変更しない範囲内で構成要素を変形して具体化することができる。また、各実施形態やその変形例に記載した複数の構成要素を適宜組み合わせることによって、種々の発明を導出することができる。例えば、各実施形態やその変形例に記載した全ての構成要素から幾つかの構成要素を削除してもよいし、異なる実施形態やその変形例に記載した構成要素を適宜組み合わせてもよい。このように、発明の要旨を変更しない範囲で、種々の変形や応用が可能である。
【産業上の利用可能性】
【０１６７】
本発明の細胞観察情報処理システム、細胞観察情報処理方法、細胞観察情報処理プログラムは、生体研究に用いる細胞の状態管理を、顕微鏡等の観察情報取得装置により取得された細胞の観察情報を用いて行うことが求められる分野の他、時系列で変化する生体の状態管理を行うことが求められる分野に有用である。
【符号の説明】
【０１６８】
１          細胞観察情報装置本体
１０        細胞観察情報処理システム
１１        タグ取得部
１２        保存部
１３        記録部
１３−１    第１の記録部
１３−２    第２の記録部
１４        検索条件取得部
１５        抽出部
１６        タグ選択部
１８        提示部
１９        出力部
２０        観察情報取得部
２１        タグ入力部
【図１】
0006339432.tif 000002
【図２】
0006339432.tif 000003
【図３】
0006339432.tif 000004
【図４】
0006339432.tif 000005
【図５】
0006339432.tif 000006
【図６】
0006339432.tif 000007
【図７】
0006339432.tif 000008
【図８】
0006339432.tif 000009
【図９】
0006339432.tif 000010
【図１０】
0006339432.tif 000011
【図１１】
0006339432.tif 000012
【図１２】
0006339432.tif 000013
【図１３】
0006339432.tif 000014
【図１４】
0006339432.tif 000015
【図１５】
0006339432.tif 000016
【図１６】
0006339432.tif 000017
【図１７】
0006339432.tif 000018
【図１８】
0006339432.tif 000019
【図１９】
0006339432.tif 000020
【図２０】
0006339432.tif 000021
【図２１】
0006339432.tif 000022
【図２２】
0006339432.tif 000023
【図２３】
0006339432.tif 000024
【図２４】
0006339432.tif 000025
【図２５】
0006339432.tif 000026
【図２６】
0006339432.tif 000027
【図２７】
0006339432.tif 000028
【図２８】
0006339432.tif 000029
【図２９】
0006339432.tif 000030
【図３０】
0006339432.tif 000031
【図３１】
0006339432.tif 000032
【図３２】
0006339432.tif 000033
【図３３】
0006339432.tif 000034